(57)【要約】  本発明の画像表示装置は、液晶表示パネルと、液晶表示パネルを背面から照明するための複数の光源基板（２０）と、を備える。複数の光源基板（２０）の各々は、制御信号を受信する信号入力コネクタ（２６ａ，２６ｂ）と、各々が液晶表示パネルの互いに異なる領域に対応して設けられた複数の発光ダイオードと、複数の発光ダイオードの各々を、制御信号に従って画像の対応領域内の明るさに応じた輝度で発光するように駆動するドライバ素子（２３）と、制御信号をスルー出力する信号出力コネクタ（２７ａ，２７ｂ）と、を有する。複数の光源基板（２０）のうち第１の光源基板の信号出力コネクタと第２の光源基板の信号入力コネクタとが電気的に接続される。
2017038083.tif 000002
【特許請求の範囲】
【請求項１】
液晶表示パネルと、
前記液晶表示パネルを背面から照明するための複数の光源基板と、を備え、
前記複数の光源基板の各々は、
制御信号を受信する信号入力コネクタと、
各々が前記液晶表示パネルの互いに異なる領域に対応して設けられた複数の発光ダイオードと、
前記複数の発光ダイオードの各々を、前記制御信号に従って画像の対応領域内の明るさに応じた輝度で発光するように駆動するドライバ素子と、
前記制御信号をスルー出力する信号出力コネクタと、を有し、
前記複数の光源基板のうち第１の光源基板の前記信号出力コネクタと第２の光源基板の前記信号入力コネクタとが電気的に接続されている、
画像表示装置。
【請求項２】
前記複数の光源基板の各々は複数の信号系統のうちのいずれか１つの信号系統に属し、
前記画像表示装置は、前記信号系統毎に前記制御信号を生成する信号処理基板をさらに備え、
同一の前記信号系統に属する複数の光源基板は、互いに隣接する前記光源基板の前記信号出力コネクタと前記信号入力コネクタとの間に設けられたケーブル接続によって直列に接続され、前記信号処理基板で生成された当該信号系統の前記制御信号を当該光源基板間で直列に伝達する、
請求項１に記載の画像表示装置。
【請求項３】
前記複数の光源基板の各々は、前記制御信号を受信するカスケード入力コネクタと、前記制御信号をスルー出力するカスケード出力コネクタとを、さらに有し、
前記信号系統毎に１つの光源基板を代表光源基板として複数の代表光源基板を設け、
前記複数の代表光源基板は、互いに隣接する前記代表光源基板の前記カスケード出力コネクタと前記カスケード入力コネクタとの間に設けられたケーブル接続によって直列に接続され、前記信号処理基板で生成された前記複数の信号系統の前記制御信号を当該代表光源基板間で直列に伝達し、
前記複数の代表光源基板の各々は、当該代表光源基板が属する信号系統の前記制御信号を前記信号出力コネクタへ出力する、
請求項２に記載の画像表示装置。
【請求項４】
前記複数の光源基板は、行列状に配置されており、
行または列に配置された前記光源基板が１つの前記信号系統に属し、
前記複数の信号系統の各々の前記代表光源基板は、前記行または前記列の端部に配置されている、
請求項２に記載の画像表示装置。
【請求項５】
前記複数の光源基板の各々は、当該光源基板内の同一の回路ノードに属する複数のコネクタを互いに異なる位置に有している、
請求項１に記載の画像表示装置。
【請求項６】
前記複数の光源基板の各々は、前記複数のコネクタとして、当該光源基板内の同一の電源ノードに属する第１電力入力コネクタ、第２電力入力コネクタ、第１電力出力コネクタ、および第２電力出力コネクタを有し、
前記複数の光源基板の各々は、複数の給電系統のうちのいずれか１つの給電系統に属し、
前記画像表示装置は、前記複数の光源基板に動作電力を供給する電源基板をさらに備え、
第１の給電系統に属する複数の光源基板は、互いに隣接する前記光源基板の前記第１電力出力コネクタと前記第１電力入力コネクタとの間に設けられたケーブル接続によって直列に接続され、前記電源基板から供給された前記動作電力を当該光源基板間で直列に伝達し、
第２の給電系統に属する複数の光源基板は、互いに隣接する前記光源基板の前記第２電力出力コネクタと前記第２電力入力コネクタとの間に設けられたケーブル接続によって直列に接続され、前記電源基板から供給された前記動作電力を当該光源基板間で直列に伝達する、
請求項５に記載の画像表示装置。
【請求項７】
前記複数の光源基板の各々において、前記発光ダイオードと前記ドライバ素子とが当該光源基板の同一面に搭載されている、
請求項１に記載の画像表示装置。
【発明の詳細な説明】
【技術分野】
【０００１】
本開示は、バックライトを有する画像表示装置に関する。
【背景技術】
【０００２】
例えば液晶表示装置等の、バックライトを有する画像表示装置において、画質を向上させるための様々な技術が継続的に開発されている。そのような技術の一例に、例えば、ローカルディミング（Ｌｏｃａｌ  Ｄｉｍｍｉｎｇ）と呼ばれる技術がある。【０００３】
特許文献１は、ローカルディミングに関する技術を開示する。ローカルディミングとは、液晶表示パネルを複数の領域に分け、各領域に対応して配置された複数の光源を、液晶表示パネルの各領域に映し出される画像の明るさに応じて調光する技術である。この技術により、１画面内の画像のコントラストを向上させることができる。光源には、例えばＬＥＤ（Ｌｉｇｈｔ  Ｅｍｉｔｔｉｎｇ  Ｄｉｏｄｅ：発光ダイオード）が用いられる。
【先行技術文献】
【特許文献】
【０００４】
【特許文献１】特開２０１４−４１８３０号公報
【発明の概要】
【０００５】
ローカルディミングが行われる画像表示装置において、互いに独立して調光可能なＬＥＤの数を増やすことは、画像に基づくバックライトの部分的な制御をよりきめ細かく行うことが可能になるので、１画面内でのコントラストを精度良く高めるために有効である。
【０００６】
しかしながら、多数のＬＥＤが互いに独立して調光される画像表示装置では、多数のＬＥＤに対応した多数の基板や多数のケーブルが必要となる。そして、それらの増加は、画像表示装置の小型化、薄型化の障害となったり、画像表示装置の組み立てコストを増加させたりする可能性がある。
【０００７】
本開示は、互いに独立して調光することができる複数のＬＥＤを有し、装置の小型化、薄型化、および組み立てコストの軽減が可能な画像表示装置を提供する。
【０００８】
本開示の一態様における画像表示装置は、液晶表示パネルと、液晶表示パネルを背面から照明するための複数の光源基板と、を備える。複数の光源基板の各々は、制御信号を受信する信号入力コネクタと、各々が液晶表示パネルの互いに異なる領域に対応して設けられた複数の発光ダイオードと、複数の発光ダイオードの各々を、制御信号に従って画像の対応領域内の明るさに応じた輝度で発光するように駆動するドライバ素子と、制御信号をスルー出力する信号出力コネクタと、を有する。そして、複数の光源基板のうちの第１の光源基板の信号出力コネクタと第２の光源基板の信号入力コネクタとが電気的に接続されている。
【０００９】
本開示における画像表示装置は、複数の発光ダイオードと複数のドライバ素子とが１つの光源基板に搭載されるので、基板やケーブルを削減でき、装置の小型化、薄型化、および組み立てコストの軽減が可能になる。また、複数の光源基板を、信号出力コネクタと信号入力コネクタとの接続を介してカスケード接続することにより、接続に必要なケーブルを削減することができる。
【図面の簡単な説明】
【００１０】
【図１】図１は、実施の形態１における画像表示装置の外観の一例を模式的に示す図である。
【図２】図２は、実施の形態１における画像表示装置の構成の一例を模式的に示す分解斜視図である。
【図３】図３は、実施の形態１における画像表示装置が備える光源基板の構成の一例を模式的に示す平面図である。
【図４】図４は、実施の形態１における画像表示装置が備える反射シートの形状の一例を模式的に示す斜視図である。
【図５】図５は、実施の形態１における画像表示装置が備えるフラッタの形状の一例を模式的に示す平面図である。
【図６】図６は、実施の形態１の画像表示装置における光源基板への反射シートの取り付け例を模式的に示す斜視図である。
【図７】図７は、実施の形態１の画像表示装置における光源基板、反射シート、およびフラッタを含む部材の配置の一例を模式的に示す断面図である。
【図８】図８は、実施の形態１の画像表示装置における光源基板、反射シート、およびフラッタを含む部材の配置の一例を模式的に示す断面図である。
【図９】図９は、実施の形態２における画像表示装置において光源基板に設けられるコネクタの配置の一例を模式的に示す平面図である。
【図１０】図１０は、実施の形態２における画像表示装置においてバックライトを構成する複数の光源基板の接続の一例を模式的に示す平面図である。
【図１１】図１１は、実施の形態３の画像表示装置における制御信号および動作電力の伝達経路の一例を模式的に示す図である。
【図１２】図１２は、実施の形態３における画像表示装置において基板間の接続によって形成される信号伝達回路の一例を概略的に示す回路図である。
【発明を実施するための形態】
【００１１】
本開示の一態様における画像表示装置は、液晶表示パネルと、液晶表示パネルを背面から照明するための複数の光源基板と、を備える。複数の光源基板の各々は、制御信号を受信する信号入力コネクタと、各々が液晶表示パネルの互いに異なる領域に対応して設けられた複数の発光ダイオードと、複数の発光ダイオードの各々を、制御信号に従って画像の対応領域内の明るさに応じた輝度で発光するように駆動するドライバ素子と、制御信号をスルー出力する信号出力コネクタと、を有する。そして、複数の光源基板のうち第１の光源基板の信号出力コネクタと第２の光源基板の信号入力コネクタとが電気的に接続される。
【００１２】
このような構成によれば、１つの光源基板に複数の発光ダイオードと複数のドライバ素子とが搭載されるので、画像表示装置において、基板やケーブルを削減でき、装置の小型化、薄型化、および組み立てコストの軽減が可能になる。また、複数の光源基板を、信号出力コネクタと信号入力コネクタとの接続を介してカスケード接続することにより、接続に必要なケーブルを削減することができる。
【００１３】
また、複数の光源基板の各々は複数の信号系統のうちのいずれか１つの信号系統に属してもよく、画像表示装置は、信号系統毎に制御信号を生成する信号処理基板をさらに備えてもよい。同一の信号系統に属する複数の光源基板は、互いに隣接する光源基板の信号出力コネクタと信号入力コネクタとの間に設けられたケーブル接続によって直列に接続されてもよく、信号処理基板で生成された当該信号系統の制御信号を当該光源基板間で直列に伝達してもよい。
【００１４】
直列に接続された複数の光源基板間で制御信号を伝達する構成では、一般に、伝達される制御信号の波形歪を抑えるために、負荷（具体的には、１つの制御信号が分配されるドライバ素子の個数）が制限される。そのため、その構成では、輝度を互いに独立して制御できる発光ダイオードの個数（以下、チャンネル数とも言う）が制限される。
【００１５】
これに対し、前述の構成によれば、複数の信号系統を設け、信号系統毎の制御信号を複数の光源基板間で直列に伝達するので、チャンネル数を増大させながら、装置の小型化、薄型化、および組み立てコストの軽減を実現することができる。
【００１６】
また、複数の光源基板の各々は、制御信号を受信するカスケード入力コネクタと、制御信号をスルー出力するカスケード出力コネクタとを、さらに有してもよい。信号系統毎に１つの光源基板を代表光源基板として複数の代表光源基板を設けてもよい。複数の代表光源基板は、互いに隣接する代表光源基板のカスケード出力コネクタとカスケード入力コネクタとの間に設けられたケーブル接続によって直列に接続されてもよく、信号処理基板で生成された複数の信号系統の制御信号を当該代表光源基板間で直列に伝達してもよい。複数の代表光源基板の各々は、当該代表光源基板が属する信号系統の制御信号を信号出力コネクタへ出力してもよい。
【００１７】
このような構成によれば、信号処理基板が複数の信号系統の制御信号を１つの代表光源基板へ供給するだけで、当該複数の信号系統の制御信号は代表光源基板間で直列に伝達され、さらに、各信号系統の制御信号は当該信号系統の光源基板間で直列に伝達される。これにより、信号処理基板の配置に関する制約（例えば、信号処理基板を、どの信号系統からも略対等になる位置に配置する、といった制約）が軽減され、基板の配置に関する自由度が向上する。また、制御信号を伝達するために必要なケーブルを相対的に短くできるので、装置の小型化、薄型化、および組み立てコストの軽減をより向上することができる。
【００１８】
また、複数の光源基板が行列状に配置され、行または列に配置された光源基板が１つの信号系統に属してもよい。複数の信号系統の各々の代表光源基板は、行または列の端部に配置されてもよい。
【００１９】
このような構成によれば、複数の光源基板が行列状に配置され、行または列の端部に代表光源基板が配置されるので、制御信号を伝達するために必要なケーブルの長さを最適化できる。
【００２０】
また、複数の光源基板の各々は、当該光源基板内の同一の回路ノードに属する複数のコネクタを互いに異なる位置に有してもよい。
【００２１】
このような構成によれば、所定の回路ノードに属するコネクタにケーブルを接続する際に、他の部材との干渉が生じないように適切なコネクタを選択して使用することができる。これにより、例えば、複数の光源基板を配置するときに、その配置位置によって使用可能なコネクタが異なる場合でも、互いに同じ構成の複数の光源基板を用いることができるので、基板の共通化によるコスト削減を図ることができる。
【００２２】
また、複数の光源基板の各々は、複数のコネクタとして、当該光源基板内の同一の電源ノードに属する第１電力入力コネクタ、第２電力入力コネクタ、第１電力出力コネクタ、および第２電力出力コネクタを有してもよい。複数の光源基板の各々は、複数の給電系統のうちのいずれか１つの給電系統に属してもよい。画像表示装置は、複数の光源基板に動作電力を供給する電源基板をさらに備えてもよい。第１の給電系統に属する複数の光源基板は、互いに隣接する当該光源基板の第１電力出力コネクタと第１電力入力コネクタとの間に設けられたケーブル接続によって直列に接続されてもよく、電源基板から供給された動作電力を当該光源基板間で直列に伝達してもよい。第２の給電系統に属する複数の光源基板は、互いに隣接する当該光源基板の第２電力出力コネクタと第２電力入力コネクタとの間に設けられたケーブル接続によって直列に接続されてもよく、電源基板から供給された動作電力を当該光源基板間で直列に伝達してもよい。
【００２３】
このような構成によれば、給電系統毎に複数の光源基板間で動作電力が直列に伝達されるので、接続に必要なケーブルを削減し、装置の小型化、薄型化、および組み立てコストの軽減を実現することができる。また、光源基板を直列に接続する際に、給電系統毎に、他の部材との干渉が生じないように適切なコネクタを選択して使用することができる。これにより、光源基板の配置位置によって使用可能なコネクタが異なる場合でも、複数の給電系統で互いに同じ構成の複数の光源基板を用いることができるので、基板の共通化によるコスト削減を図ることができる。
【００２４】
また、複数の光源基板の各々において、発光ダイオードとドライバ素子とが当該光源基板の同一面に搭載されてもよい。
【００２５】
このような構成によれば、発光ダイオードとドライバ素子とが光源基板の一方の面に搭載されるので、製造工程における光源基板へ部品を実装する作業が、それらを両面に実装する場合と比較して、簡単になる。光源基板の一方の面には、個々の発光ダイオードの光を対応する領域に導くための反射板が設けられる。当該反射板は、互いに隣り合う発光ダイオードに対応する領域間での光漏れを低減するための仕切りとしての隆起を有していてもよい。そのような隆起を中空とし、その隆起内にドライバ素子を格納すれば、ドライバ素子と反射シートとが干渉して輝度むらが発生することを防止できる。また、隆起内の空間を有効に活用してドライバ素子を光源基板に搭載できる。
【００２６】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００２７】
なお、以下で説明する実施の形態は、いずれも本開示の一具体例を示すものである。以下の実施の形態で示される数値、形状、材料、構成要素、構成要素の配置位置および接続形態等は、一例であり、本開示を限定する主旨ではない。また、以下の実施の形態における構成要素のうち、最上位概念を示す独立請求項に記載されていない構成要素については、任意の構成要素として説明される。
【００２８】
なお、添付図面および以下の説明は、当業者が本開示を十分に理解するために提供されるのであって、これらにより特許請求の範囲に記載の主題を限定することは意図されていない。
【００２９】
また、各図は、模式図であり、必ずしも厳密に図示されたものではない。また、各図において、実質的に同じ構成要素については同じ符号を付し、説明を省略または簡略化する場合がある。
【００３０】
（実施の形態１）
以下、図１〜図８を参照しながら実施の形態１における画像表示装置１について説明する。なお、本実施の形態では、図面にＸ軸、Ｙ軸、Ｚ軸の３軸を示し、液晶表示パネルの長辺に平行な方向の軸をＸ軸、液晶表示パネルの短辺に平行な方向の軸をＹ軸、Ｘ軸Ｙ軸の双方に直交する軸をＺ軸とする。しかし、これらの軸は便宜的に示したものに過ぎず、何ら本開示を限定するものではない。
【００３１】
［１−１．構成］
実施の形態１における画像表示装置１は、液晶表示パネルと、その液晶表示パネルを背面から照明するための光源基板と、を備える。画像表示装置１は、画像表示装置の一例である。光源基板には、各々が液晶表示パネルの互いに異なる領域に対応して設けられた複数のＬＥＤと、複数のＬＥＤの各々を、制御信号に従って画像の対応領域内の明るさに応じた輝度で発光するように駆動（調光）するドライバ素子と、が搭載される。なお、画像の対応領域内の明るさとは、１つのＬＥＤ（または、一箇所に配置されたＬＥＤ）が照明する液晶表示パネルの領域（すなわち、そのＬＥＤに対応する領域）における画像の明るさ（画像の部分的な明るさ）のことである。
【００３２】
図１は、実施の形態１における画像表示装置１の外観の一例を模式的に示す図である。
【００３３】
図１に示すように、画像表示装置１は、液晶表示パネル７０および光源基板（図１には示さず）が、前面が開放された筐体１ａ内に格納された、一般的なフラットパネルディスプレイの外観を有する。なお、本実施の形態では、画像表示装置１および各構成部材におけるユーザに正対する面（図１に示されている側の面）を前面と称し、前面の反対側の面（裏面）を背面と称する。
【００３４】
図２は、実施の形態１における画像表示装置１の構成の一例を模式的に示す分解斜視図である。
【００３５】
図２に示すように、画像表示装置１は、ベースプレート１０、複数の光源基板２０、反射シート３０、フラッタ４０、各種の光学シート５０、モールドフレーム６０、液晶表示パネル７０、ベゼル８０、接続端子基板９１、信号処理基板９２、および電源基板９３、を備える。これらの部材が筐体１ａ（図１参照）に格納されて、画像表示装置１は構成されている。なお、画像表示装置１は、これらの部材の他に、支持部材、締結部材、および補強部材、等を有するが、それらの部材の図示は省略する。
【００３６】
ベースプレート１０は、光源基板２０、接続端子基板９１、信号処理基板９２、および電源基板９３を取り付ける基台である。ベースプレート１０は、例えば、板金で形成されるが、他の材料で形成されてもよい。ベースプレート１０には、ねじ穴や、後述する開口、等が設けられている。
【００３７】
光源基板２０は、液晶表示パネル７０を照明するバックライトモジュールである。光源基板２０は、複数のＬＥＤと、複数のＬＥＤの各々を駆動する複数のドライバ素子と、を備える。それらは、光源基板２０の同一面に搭載されている。複数の光源基板２０は、互いに同じ形であってもよい。光源基板２０の詳細は後述する。
【００３８】
画像表示装置１は、複数の光源基板２０を、同一面内にマトリクス状に配置された状態で備えている。これら複数の光源基板２０の各々は、ベースプレート１０の前面（液晶表示パネル７０側の面）に取り付けられている。具体的には、各光源基板２０は、ベースプレート１０の前面に、第一方向に沿って配列され、かつ第一方向に直交する第二方向に沿って配列されている。以下、第一方向を「行」ともいい、第二方向を「列」ともいう。すなわち、複数の光源基板２０は、ベースプレート１０の前面において、行と列のそれぞれに配列されて行列状に配置されている。画像表示装置１では、これら複数の光源基板２０により、液晶表示パネル７０を照明するバックライトが構成される。
【００３９】
なお、第一方向（行）は、液晶表示パネル７０の長辺に並行な方向であってもよく、第二方向（列）は、液晶表示パネル７０の短辺に並行な方向であってもよい。また、それらは互いに逆であってもよい。
【００４０】
反射シート３０は、光源基板２０の前面（液晶表示パネル７０側の面）に設置され、開口を有し、その開口を貫通したＬＥＤ（図３に示す光源基板２０のＬＥＤ２１）から出射される光の一部を液晶表示パネル７０に向けて反射するシートである。反射シート３０は、例えば、白色の合成樹脂で形成されるが、白色の他の材料で形成されてもよい。反射シート３０には、互いに隣り合うＬＥＤの間を仕切る中空の隆起（図４参照）が、前面側（液晶表示パネル７０側）に突出した形状で形成されている。したがって、ＬＥＤの周囲は隆起によって囲まれ、各ＬＥＤは、当該ＬＥＤの周りの当該隆起で囲まれた領域を照明する。反射シート３０の詳細は後述する。
【００４１】
フラッタ４０は、ＬＥＤによって照射される領域（反射シート３０の隆起で囲まれた領域）の輝度の均一性を向上させるために、反射シート３０の前面（液晶表示パネル７０側の面）に設置された光学シートである。フラッタ４０は、ＬＥＤから出射される光を一様に透過するのではなく、ＬＥＤによって照明される領域内に、光の透過率（以下、単に「透過率」ともいう）の分布を有する。なお、本実施の形態では、透過率が相対的に高い部分と透過率が相対的に低い部分とが分布していることを透過率の分布という。フラッタ４０は、例えば、合成樹脂で形成されるが、他の材料で形成されてもよい。光源基板２０が備えるＬＥＤは点光源のため、フラッタ４０がない場合、そのＬＥＤが照明する領域内には輝度に偏り（輝度分布）が生じる。フラッタ４０は、その輝度分布を相殺するように設定された透過率の分布を有する。これにより、ＬＥＤによる領域内の輝度の均一性を向上することができる。フラッタ４０の詳細は後述する。
【００４２】
光学シート５０は、フラッタ４０以外の各種の光学機能を有するシートである。光学シート５０は、例えば、光を拡散することにより輝度の均一性をさらに向上する拡散板や、光の進路を前面方向に揃えることによりユーザによって視認される輝度を向上するプリズムシート、等を含む。光学シート５０は、例えば、機能に応じた微細形状が表面に設けられて成形された合成樹脂で構成することができる。
【００４３】
モールドフレーム６０は、液晶表示パネル７０の外周を背面から支持する支持部材である。モールドフレーム６０は、例えば、合成樹脂で形成されるが、他の材料で形成されてもよい。また、モールドフレーム６０は、ベースプレート１０に固定されてもよい。
【００４４】
液晶表示パネル７０は、例えば、複数の液晶の画素がマトリクス状に配列されて構成された画像表示用の液晶表示パネルである。
【００４５】
ベゼル８０は、液晶表示パネル７０の外周を前面から支持する支持部材である。ベゼル８０は、例えば、金属で形成されるが、合成樹脂で形成されてもよい。
【００４６】
接続端子基板９１は、映像信号を受信するための端子およびインターフェース回路が設けられた回路基板である。信号処理基板９２は、映像信号を処理するための信号処理回路が設けられた回路基板である。信号処理基板９２には、光源基板２０のＬＥＤの輝度を制御（調光）するための制御信号を、映像信号に基づいて生成する回路も設けられている。電源基板９３は、画像表示装置１に動作電力（以下、単に「電力」ともいう）を供給するための電源回路が設けられた回路基板である。接続端子基板９１、信号処理基板９２、および電源基板９３は、ベースプレート１０の背面に取り付けられている。
【００４７】
次に、光源基板２０について説明する。
【００４８】
図３は、実施の形態１における画像表示装置１が備える光源基板２０の構成の一例を模式的に示す平面図である。なお、図３には、光源基板２０の前面に配置された各部材の一例を示している。また、図３の一部には、視覚的にわかりやすくするために、便宜的に、個々のＬＥＤ２１で照明される液晶表示パネル７０の領域７１に対応する位置を破線で示している。
【００４９】
図３に示すように、光源基板２０には、複数のＬＥＤ２１と複数のドライバ素子２２およびドライバ素子２３とが同一の面（光源基板２０の前面）に搭載されている。
【００５０】
ＬＥＤ２１の各々は、液晶表示パネル７０の互いに異なる領域７１に対応して設けられている。本実施の形態における画像表示装置１では、ＬＥＤ２１に高電圧ＬＥＤが用いられる。高電圧ＬＥＤとは、例えば、複数のＬＥＤ素子（すなわち、複数のｐｎ接合）を直列に接続して構成されたＬＥＤである。高電圧ＬＥＤは、単一のＬＥＤ素子（低電圧ＬＥＤ）と比べて、より高い電圧を印加することができる。そして、高電圧ＬＥＤは、より高い電圧を印加することにより、単一のＬＥＤ素子に流れる電流と実質的に同じ電流で、より高い発光輝度を得ることができる。したがって、高電圧ＬＥＤにおいて低電圧ＬＥＤと同じ発光輝度を得る場合には、高電圧ＬＥＤに流れる電流を、低電圧ＬＥＤに流れる電流よりも低く抑えることができる。したがって、画像表示装置１において複数の光源基板２０を互いに電気的に連結（カスケード接続）するような場合に、配線等で発生する熱を抑制することができ、光源基板２０に電力を供給する電源の負荷を軽減することが可能となる。
【００５１】
このように、光源基板２０では、ＬＥＤ２１の駆動電流の増加を抑制しつつより高い発光輝度を得ることができるので、ドライバ素子２２およびドライバ素子２３での発熱を抑制することができる。したがって、ＬＥＤ２１と、ドライバ素子２２およびドライバ素子２３とを、１つの光源基板２０上に搭載することが可能となる。
【００５２】
なお、高電圧ＬＥＤとは、例えば１０（Ｖ）以上、５０（Ｖ）以下の範囲の駆動電圧で駆動されるＬＥＤである。本実施の形態における画像表示装置１では、高電圧ＬＥＤとして、駆動電圧が２０（Ｖ）以上、４０（Ｖ）以下のＬＥＤが使用されてもよい。一方、低電圧ＬＥＤとは、駆動電圧が、例えば３（Ｖ）以上、６（Ｖ）以下の範囲のＬＥＤである。
【００５３】
ドライバ素子２２およびドライバ素子２３は、信号処理基板９２から供給される制御信号に基づきＬＥＤ２１を駆動する半導体素子である。ドライバ素子２２およびドライバ素子２３には、各ＬＥＤ２１を発光させるための輝度に関する制御信号が供給される。ドライバ素子２２およびドライバ素子２３は、ＬＥＤ２１の各々を、当該制御信号に従って、画像の対応する領域７１の明るさに応じた輝度で発光するように駆動（調光）する。ドライバ素子２２は、例えば、酸化物半導体（ＭＯＳ：Ｍｅｔａｌ−Ｏｘｉｄｅ  Ｓｅｍｉｃｏｎｄｕｃｔｏｒ）トランジスタであってもよい。また、ドライバ素子２３は、例えば、制御信号からドライバ素子２２のゲート信号を生成する半導体集積回路（ＩＣ：Ｉｎｔｅｇｒａｔｅｄ  Ｃｉｒｃｕｉｔ）であってもよい。
【００５４】
このように、信号処理基板９２は、画像の領域７１毎の明るさを表す制御信号を生成してもよい。ドライバ素子２２およびドライバ素子２３は、ＬＥＤ２１の各々を、各ＬＥＤ２１に対応する領域７１の当該制御信号によって表される明るさに応じた輝度で発光するように駆動してもよい。
【００５５】
また、信号処理基板９２は、画像の領域７１毎の明るさに応じて、各領域７１に対応するＬＥＤ２１を発光させるための輝度を表す制御信号を生成してもよい。ドライバ素子２２およびドライバ素子２３は、ＬＥＤ２１の各々を、当該制御信号によって表される輝度で発光するように駆動してもよい。
【００５６】
光源基板２０には、フラッタ４０を支持するサポートピンを立てるための開口２４、および光源基板２０をベースプレート１０にビス止めするためのビス孔２５、が設けられている。
【００５７】
光源基板２０では、ドライバ素子２２、ドライバ素子２３、開口２４、およびビス孔２５を、互いに隣接する領域７１の境界線上に配置している。このような配置による効果については後述する。
【００５８】
次に、反射シート３０について説明する。
【００５９】
図４は、実施の形態１における画像表示装置１が備える反射シート３０の形状の一例を模式的に示す斜視図である。図４の一部には、視覚的にわかりやすくするために、領域７１に対応する位置を破線で示している。
【００６０】
図４に示すように、反射シート３０には、隆起３１、開口３２、および開口３３が形成されている。
【００６１】
開口３２は、反射シート３０の背面側に配置されている光源基板２０のＬＥＤ２１に対応する位置に設けられている。ＬＥＤ２１は、反射シート３０の背面から開口３２を貫通して反射シート３０の前面に露出する。
【００６２】
反射シート３０は、ＬＥＤ２１から照射される光を反射するように、白色の合成樹脂で形成されている。そして、反射シート３０は、開口３２を貫通して前面に露出したＬＥＤ２１から出射される光の一部（背面方向に進行する光、等）を前方（液晶表示パネル７０方向）へ反射する。
【００６３】
隆起３１は、中空であり、互いに隣り合う開口３２（すなわち、互いに隣り合うＬＥＤ２１）の間を仕切る位置に形成されている。具体的には、隆起３１は、互いに隣り合うＬＥＤ２１によって照明される領域７１（互いに隣り合う領域７１）の境界上に、境界上の一部を除外して形成されている。
【００６４】
反射シート３０における、互いに隣り合う領域７１の境界上の、隆起３１の形成が除外された部分には、開口３３が形成されている。サポートピンは、開口３３、および光源基板２０の開口２４を貫通して、ベースプレート１０に取り付けられる。
【００６５】
次に、フラッタ４０について説明する。
【００６６】
図５は、実施の形態１における画像表示装置１が備えるフラッタ４０の形状の一例を模式的に示す平面図である。図５の一部には、視覚的にわかりやすくするために、領域７１に対応する位置を破線で示している。
【００６７】
図５に示すように、フラッタ４０は、合成樹脂で形成されたシートに大小様々な大きさの孔４１が設けられて、形成されている。フラッタ４０では、孔４１によって光の透過率を調整している。すなわち、フラッタ４０は、領域７１内に、孔４１の配置（大きさ、位置、数）に応じた透過率の分布を有する。フラッタ４０における透過率の分布は、フラッタ４０がない場合に領域７１内にＬＥＤ２１により生じる輝度分布（輝度の偏り）を相殺するように設定されている。これにより、フラッタ４０は、領域７１内の輝度の均一性を向上することができる。
【００６８】
次に、光源基板２０への反射シート３０の取り付けと、各部材の配置について説明する。
【００６９】
図６は、実施の形態１の画像表示装置１における光源基板２０への反射シート３０の取り付け例を模式的に示す斜視図である。
【００７０】
図７、図８は、実施の形態１の画像表示装置１における光源基板２０、反射シート３０、およびフラッタ４０を含む部材の配置の一例を模式的に示す断面図である。図７には図６のＡ−Ａ線断面図を示し、図８には図６のＢ−Ｂ線断面図を示す。なお、図６ではフラッタ４０の図示を省略しているが、図７、図８にはフラッタ４０を示している。
【００７１】
図６、図７、図８に示すように、反射シート３０は、開口３２の周囲の平坦部分において接着テープ３５で光源基板２０に貼り付けられるとともに、開口２４および開口３３を貫通してベースプレート１０に取り付けられるサポートピン３６によって光源基板２０に固定される。こうして、反射シート３０は、光源基板２０に結合される。
【００７２】
光源基板２０のＬＥＤ２１は、反射シート３０の背面から開口３２を貫通して反射シート３０の前面に露出する。光源基板２０のドライバ素子２２およびドライバ素子２３は、隆起３１内の空間（隆起３１により反射シート３０の背面と光源基板２０の前面との間に形成される空間）に格納される。
【００７３】
図６〜図８には図示していないが、光源基板２０は、ビス孔２５（図３参照）を通ってベースプレート１０に取り付けられるビスによって、ベースプレート１０に固定されている。そして、そのビスの頭部も、隆起３１内の空間に格納される。
【００７４】
フラッタ４０は、サポートピン３６によって支持されて反射シート３０の前面側に配置される。具体的には、フラッタ４０は、フラッタ４０の特定の孔４１Ａがサポートピン３６の上部の切り欠きに嵌め込まれることにより、サポートピン３６に支持される。なお、フラッタ４０には複数の孔４１（図５参照）が設けられているが、図７、図８では孔４１の図示を省略している。
【００７５】
このようにして光源基板２０、反射シート３０、およびフラッタ４０は互いに結合されて１つの構造体が構成される。そして、図２に示すように、その構造体の前面に、さらに、各種の光学シート５０が配置され、光学シート５０の前面に液晶表示パネル７０が配置されて、画像表示装置１が構成される。画像表示装置１では、光源基板２０のＬＥＤ２１から出射され、フラッタ４０および複数の光学シート５０を透過して均一性が向上した光が、液晶表示パネル７０を背面から照明する。そして、液晶表示パネル７０を背面から照明する光は、画像に応じて領域７１毎に明るさが調整（調光）されているので、液晶表示パネル７０にはコントラストが精度良く高められた画像が表示される。
【００７６】
［１−２．効果等］
以上のように構成された画像表示装置１では、次のような効果が得られる。
【００７７】
まず、画像表示装置１は、小型化、薄型化、および組み立てコストの軽減に適している。
【００７８】
画像表示装置１との比較のために、画像表示装置１と同様に、数百個を超える複数のＬＥＤを有し、それら複数のＬＥＤを互いに独立して制御可能なバックライトを有する画像表示装置を想定してみる。そして、その画像表示装置は、複数のＬＥＤが搭載された基板とドライバ素子が搭載された基板とが別体に設けられ、それらの基板が互いにケーブルで接続されることにより、複数のＬＥＤのそれぞれの輝度が独立に制御されるものとする。しかしながら、そのような構成を有する画像表示装置では、多数の基板や多数のケーブルが必要となるために、画像表示装置の小型化、薄型化は困難であり、また画像表示装置の組み立てコストが増加するおそれがある。
【００７９】
本実施の形態に示す画像表示装置１では、１つの光源基板２０に、複数のＬＥＤ２１と複数のドライバ素子２２およびドライバ素子２３とが搭載される。そのため、基板やケーブルを削減することができ、画像表示装置１の小型化、薄型化、および組み立てコストの軽減が可能になる。
【００８０】
画像表示装置１では、ＬＥＤ２１に、複数のＬＥＤ素子を直列に接続して構成された高電圧ＬＥＤを用いてもよい。高電圧ＬＥＤを用いることで、光源基板２０では、高電圧ＬＥＤでないＬＥＤ（低電圧ＬＥＤ）を用いた場合と比較して、ＬＥＤ２１の駆動電圧を上げることができる。これにより、光源基板２０では、駆動電流の増加を抑制しつつ、より高い発光輝度を得ることができるので、ドライバ素子での発熱を抑制することができる。
【００８１】
放熱に関する設計が困難である等の理由により、ＬＥＤとドライバ素子とを１つの基板に搭載することが困難な場合がある。しかし、画像表示装置１では、ＬＥＤ２１に高電圧ＬＥＤを用いることで、１つの光源基板２０に、複数のＬＥＤ２１と複数のドライバ素子２２およびドライバ素子２３とを搭載することができる。
【００８２】
また、画像表示装置１では、反射シート３０に、互いに隣り合うＬＥＤ２１の間を仕切る中空の隆起３１を形成し、隆起３１内にドライバ素子２２およびドライバ素子２３を格納している。
【００８３】
ドライバ素子等により反射シート３０に不要なしわや膨らみ等が生じると、領域７１内に輝度むらが発生する可能性がある。しかし、画像表示装置１では、隆起３１により反射シート３０の背面側に設けられた空間にドライバ素子２２およびドライバ素子２３が格納されるので、それらのドライバ素子と反射シート３０とが干渉して輝度むらが発生することを防止できる。このように、画像表示装置１では、隆起３１内の空間を有効に活用して、ドライバ素子２２およびドライバ素子２３を光源基板２０に搭載することができる。
【００８４】
また、画像表示装置１では、互いに隣り合う領域７１が隆起３１によって隔てられるので、互いに隣り合うＬＥＤ２１によって照明される領域７１間での相互の光漏れが低減される。これにより、各領域７１のＬＥＤ２１による明るさの精度をより高めることができるので、より正確な輝度で液晶表示パネル７０を照明できる。
【００８５】
また、画像表示装置１では、隆起３１は、互いに隣り合うＬＥＤ２１によって照明される領域７１の境界上に、その境界上の一部を除外して形成されている。そして、フラッタ４０を支持するサポートピン３６は、反射シート３０における隆起３１の形成が除外された部分を貫通して、ベースプレート１０に取り付けられている。そのため、領域７１内にサポートピン３６の影が出にくくなり、サポートピン３６が領域７１における輝度低下の原因になることが防止される。
【００８６】
また、互いに隣り合う領域７１の境界の中央部分は、ＬＥＤ２１に相対的に近いため、相対的に明るい。そして、画像表示装置１では、サポートピン３６が、その中央部分（略中央部分）に設けられているので、ＬＥＤ２１から相対的に遠く相対的に暗い当該境界の端部にサポートピン３６が設けられる場合と比べて、サポートピン３６による輝度低下が目立ちにくい。
【００８７】
以上説明したように、本実施の形態によれば、独立して調光可能な複数のＬＥＤを有する画像表示装置において、画像表示装置の小型化、薄型化、および組み立てコストの軽減が可能になる。
【００８８】
（実施の形態２）
次に、図９および図１０を参照しながら、実施の形態２について説明する。
【００８９】
実施の形態２に示す画像表示装置１（図示せず）は、実施の形態１に示した画像表示装置１と実質的に同じものであるが、実施の形態１に開示されていない構成をさらに有する。以下では、実施の形態１で説明した事項については適宜説明を省略し、実施の形態１で開示されていない構成を主に説明する。
【００９０】
［２−１．構成］
実施の形態２には、他の基板との電気的な接続をケーブルを介して行う構成を光源基板２０に設けた画像表示装置１を開示する。実施の形態２では、実施の形態１の画像表示装置１の構成に加えて、適切なコネクタを選択してケーブルを接続できる構成を光源基板２０が備えている。
【００９１】
なお、以下の説明では、実施の形態１に示した画像表示装置１が備える構成要素と実質的に同じ構成要素については、その構成要素と同じ符号を付与して説明を省略する。
【００９２】
光源基板２０の背面には、ケーブルを接続するための複数のコネクタが設けられている。当該コネクタは、複数の光源基板２０間でケーブルを介して信号や電力を分配するときに用いられる。この分配については後述する。
【００９３】
図９は、実施の形態２における画像表示装置１において光源基板２０に設けられるコネクタの配置の一例を模式的に示す平面図である。なお、図９には、光源基板２０の背面側の平面図を示している。
【００９４】
図９に示すように、光源基板２０は、信号入力コネクタ２６ａ、信号入力コネクタ２６ｂ、信号出力コネクタ２７ａ、信号出力コネクタ２７ｂ、電力入力コネクタ２８ａ、電力入力コネクタ２８ｂ、電力出力コネクタ２９ａ、および電力出力コネクタ２９ｂ、を有する。これらのコネクタは、光源基板２０の背面の互いに異なる位置にそれぞれ配置されている。
【００９５】
ここで、コネクタとは、ケーブルとの電気的な接続を可能にするための光源基板２０上の端子（いわゆるランドパターン）である。コネクタには、ケーブルが直接接続されてもよく、ケーブルを受け入れるためのソケットまたはレセプタクルが取り付けられ、当該ソケットまたはレセプタクルを介してケーブルが接続されてもよい。また、光源基板２０では、光源基板２０の配置位置に応じて、ケーブルが接続されるコネクタを適切に選択することができる。したがって、互いに異なる位置に配置された光源基板２０同士を比較したときに、各光源基板２０が有する互いに同じ位置のコネクタに、ケーブルが接続される場合とケーブルが接続されない場合とがある。
【００９６】
光源基板２０は、信号処理基板９２または他の光源基板２０から、信号入力コネクタ２６ａに入力される制御信号を、光源基板２０に搭載されたドライバ素子に分配するとともに、信号出力コネクタ２７ａおよび信号出力コネクタ２７ｂの両方に出力（以下、「スルー出力」ともいう）するように設けられた配線を有する（図示せず）。また、光源基板２０は、信号入力コネクタ２６ｂに入力される制御信号を、光源基板２０に搭載されたドライバ素子に分配するとともに、信号出力コネクタ２７ｂにスルー出力するように形成された配線を有する（図示せず）。
【００９７】
したがって、光源基板２０は、信号処理基板９２または他の光源基板２０から、信号入力コネクタ２６ａに制御信号が入力されると、その制御信号は、信号出力コネクタ２７ａおよび信号出力コネクタ２７ｂの両方からスルー出力される。また、光源基板２０は、信号入力コネクタ２６ｂに制御信号が入力されると、その制御信号は信号出力コネクタ２７ｂからスルー出力される。なお、その制御信号は、各ＬＥＤ２１を、それぞれのＬＥＤ２１に対応する領域７１での画像の明るさに基づく輝度で発光させるための、輝度に関する信号である。光源基板２０では、複数のＬＥＤ２１の各々が、ドライバ素子２２およびドライバ素子２３により、その制御信号に応じた輝度で発光するように駆動（調光）される。
【００９８】
また、光源基板２０は、電源基板９３または他の光源基板２０から、電力入力コネクタ２８ａまたは電力入力コネクタ２８ｂに入力される電力を、光源基板２０に搭載された各素子に分配するとともに、電力出力コネクタ２９ａおよび電力出力コネクタ２９ｂにスルー出力するように設けられた配線を有する（図示せず）。
【００９９】
したがって、光源基板２０は、電源基板９３または他の光源基板２０から、電力入力コネクタ２８ａおよび電力入力コネクタ２８ｂのいずれか一方に電力が入力されると、その電力は電力出力コネクタ２９ａおよび電力出力コネクタ２９ｂの両方からスルー出力される。各光源基板２０では、その電力を用いて複数のＬＥＤ２１のそれぞれが駆動される。
【０１００】
このように、実施の形態２に示す光源基板２０は、信号または電力を分配するための複数のコネクタを、互いに異なる位置に有している。言い換えると、光源基板２０は、光源基板２０内の同一の回路ノードに属する複数のコネクタを互いに異なる位置に有している。信号入力コネクタ２６ａ、信号入力コネクタ２６ｂ、信号出力コネクタ２７ａ、および信号出力コネクタ２７ｂは、制御信号系の回路ノードに属するコネクタの一例である。電力入力コネクタ２８ａ、電力入力コネクタ２８ｂ、電力出力コネクタ２９ａ、および電力出力コネクタ２９ｂは、電力系の回路ノードに属するコネクタの一例である。そのため、実施の形態２に示す画像表示装置１では、光源基板２０において、例えば、他の部材が配置されているために使用できないコネクタを避けて他の使用可能なコネクタを使用する等、部材の配置位置等に応じて適切にコネクタを選択して、使用することができる。したがって、この画像表示装置１では、例えば、ベースプレート１０に複数の光源基板２０を取り付けるときに、その取り付け位置によって使用可能なコネクタが異なっている場合でも、互いに同じ構成の複数の光源基板２０を用いることができる。これにより、実施の形態２に示す画像表示装置１では、互いに同じ構成の複数の光源基板２０を用いて（すなわち、基板の共通化による）コスト削減を図ることができる。
【０１０１】
実施の形態２に示すこのような構成は、例えば、複数の光源基板２０を互いに電気的に連結（カスケード接続）してバックライトを構成する場合に適している。
【０１０２】
図１０は、実施の形態２における画像表示装置１においてバックライトを構成する複数の光源基板２０の接続の一例を模式的に示す平面図である。
【０１０３】
図１０には、一例として１６個の光源基板２０を取り付けたベースプレート１０の背面側の平面図を示している。光源基板２０は、ベースプレート１０の前面に取り付けられているので、図１０では、光源基板２０の取り付け位置を破線で示している。なお、ベースプレート１０に取り付けられる光源基板２０の数は何ら１６個に限定されない。
【０１０４】
図１０に破線で示すように、画像表示装置１が有する複数の光源基板２０は、ベースプレート１０上に、マトリクス状（行列状）に配列されている。具体的には、各光源基板２０は、実施の形態１で説明したように、ベースプレート１０の前面に、行と列のそれぞれに配列されて行列状に配置されている。そして、複数の光源基板２０は、図１０に示すように、ケーブル１４またはケーブル１５によって互いに電気的に連結（カスケード接続）されている。
【０１０５】
図１０に示すように、ベースプレート１０には、背面の上端に補強梁１１が設けられ、背面の下端に補強梁１２が設けられている。ベースプレート１０には、光源基板２０の所定のコネクタを、他の基板（信号処理基板９２、または電源基板９３、または他の光源基板２０）にケーブルを介して電気的に接続できるようにするための複数の開口１３が設けられている。また、補強梁１１には、ベースプレート１０に設けられた複数の開口１３のうちの所定の１つと実質的に同じ位置に設けられ、１つの光源基板２０（例えば、光源基板２０ａ）の所定のコネクタ（例えば、信号入力コネクタ２６ａ）を他の基板（例えば、信号処理基板９２）にケーブルを介して電気的に接続できるようにするための開口１３ａが設けられている。そして、各光源基板２０の背面に設けられた各コネクタは、ベースプレート１０に設けられた開口１３を通して、または、開口１３および補強梁１１に設けられた開口１３ａを通して、ベースプレート１０の背面側に露出している。これにより、各光源基板２０は、互いのコネクタを、ベースプレート１０の背面側を通るケーブル１４またはケーブル１５によって電気的に接続することができる。
【０１０６】
そして、実施の形態２に示す画像表示装置１では、１６個の光源基板２０が、ケーブル１４およびケーブル１５で互いに電気的に接続されて、バックライトを構成している。なお、図１０では、説明を容易にするために、上段２列の７個の光源基板２０に、符号２０ａ〜２０ｇを付与している。
【０１０７】
具体的には、図１０に示すように、各光源基板２０の信号出力コネクタ２７ｂは、ケーブル１４により、図面における左隣の光源基板２０の信号入力コネクタ２６ｂに電気的に接続されている。ただし、図面における右端の４個の光源基板２０では、各光源基板２０の信号出力コネクタ２７ａは、ケーブル１４により、図面における直下の光源基板２０の信号入力コネクタ２６ａに電気的に接続されている。また、図面における右上端の光源基板２０ａの信号入力コネクタ２６ａは、ケーブルにより信号処理基板９２に電気的に接続されている。
【０１０８】
これにより、信号処理基板９２から供給される制御信号は、光源基板２０ａの信号入力コネクタ２６ａに入力される。この制御信号は、光源基板２０ａの信号出力コネクタ２７ａおよび信号出力コネクタ２７ｂにスルー出力され、ケーブル１４を介して、光源基板２０ｃの信号入力コネクタ２６ａおよび光源基板２０ｂの信号入力コネクタ２６ｂのそれぞれに入力される。そして、上述した構成に基づき、制御信号は、ケーブル１４を通して１つの光源基板２０から他の光源基板２０に分配される。同様の分配が繰り返されることで、信号処理基板９２から供給される制御信号は、画像表示装置１が有するすべての光源基板２０に分配される。なお、図１０では、制御信号が分配される経路を一点鎖線で示す。
【０１０９】
本実施の形態における画像表示装置１では、複数の光源基板２０のうち第１の光源基板の信号出力コネクタと第２の光源基板の信号入力コネクタとが電気的に接続されている。上述したように、各光源基板２０の信号出力コネクタは、図面における左隣または直下の光源基板２０の信号入力コネクタに、ケーブル１４により電気的に接続されて、複数の光源基板２０が連結（カスケード接続）されている。したがって、１つの光源基板２０は、一部の光源基板２０（例えば、信号処理基板９２から制御信号が入力される光源基板２０ａ、および、制御信号に関して終端となる図面左端の４個の光源基板２０）を除き、第１の光源基板であるとともに第２の光源基板でもある。すなわち、第１の光源基板および第２の光源基板の定義は、一部の光源基板２０を除き、相対的なものであり、絶対的なものではない。例えば、図１０に示す例では、光源基板２０ａを第１の光源基板とすると、第２の光源基板は光源基板２０ｂおよび光源基板２０ｃとなる。光源基板２０ｂを第１の光源基板とすると、第２の光源基板は光源基板２０ｆとなる。あるいは、光源基板２０ｃを第１の光源基板とすると、第２の光源基板は光源基板２０ｃの左隣および直下（図面における左隣および直下）の光源基板２０となる。このように、第１の光源基板が第２の光源基板に制御信号を分配し、その第２の光源基板が後段の光源基板に対して第１の光源基板となって制御信号を分配する、といったことが繰り返されることで、制御信号がすべての光源基板２０に分配される。
【０１１０】
電源基板９３から供給される電力は、図１０で左端に配置された４個の光源基板２０に入力される。ただし、図１０で最上段に配置された４個の光源基板２０（光源基板２０ａ、２０ｂ、２０ｄ、２０ｆ）に関しては、補強梁１１により電力入力コネクタ２８ｂおよび電力出力コネクタ２９ｂが使用できない。そこで、電源基板９３から供給される電力は、左端に配置された４個のうちの最上段に配置された光源基板２０ｄに関しては、補強梁１１により使用できない電力入力コネクタ２８ｂを避けて電力入力コネクタ２８ａに入力され、光源基板２０ｅを含む他の３個の光源基板２０に関しては、電力入力コネクタ２８ｂに入力される。この電力は、光源基板２０ｄでは、補強梁１１により使用できない電力出力コネクタ２９ｂを避けて電力出力コネクタ２９ａにスルー出力され、ケーブル１５を介して、図面における右隣に配置された光源基板２０ｆの電力入力コネクタ２８ａに入力される。光源基板２０ｅを含む他の３個の光源基板２０ｄでは、電力は、電力出力コネクタ２９ｂにスルー出力され、ケーブル１５を介して、図面におけるそれぞれの右隣に配置された光源基板２０の電力入力コネクタ２８ｂに入力される。このようにして、電力は、１つの光源基板２０から他の光源基板２０に分配される。同様の分配が繰り返されることで、電源基板９３から供給される電力は、画像表示装置１が有するすべての光源基板２０に分配される。なお、図１０では、電力が分配される経路を二点鎖線で示す。
【０１１１】
画像表示装置１が有する光源基板２０は、このようにして分配された制御信号および電力によって動作し、複数のＬＥＤ２１の各々は、分配された制御信号に応じた輝度で発光するように駆動（調光）される。
【０１１２】
［２−２．効果等］
以上のように、本実施の形態において、画像表示装置は、液晶表示パネルと、液晶表示パネルを背面から照明するための複数の光源基板と、を備える。複数の光源基板の各々は、制御信号を受信する信号入力コネクタと、各々が液晶表示パネルの互いに異なる領域に対応して設けられた複数のＬＥＤと、複数のＬＥＤの各々を、制御信号に従って画像の対応領域内の明るさに応じた輝度で発光するように駆動するドライバ素子と、制御信号をスルー出力する信号出力コネクタと、を有する。そして、複数の光源基板のうち第１の光源基板の信号出力コネクタと第２の光源基板の信号入力コネクタとが電気的に接続されている。
【０１１３】
なお、画像表示装置１は画像表示装置の一例である。液晶表示パネル７０は液晶表示パネルの一例である。光源基板２０および光源基板２０ａ〜２０ｇは光源基板の一例である。信号入力コネクタ２６ａおよび信号入力コネクタ２６ｂは、それぞれが信号入力コネクタの一例である。ＬＥＤ２１はＬＥＤの一例である。ドライバ素子２２およびドライバ素子２３はドライバ素子の一例である。信号出力コネクタ２７ａおよび信号出力コネクタ２７ｂは、それぞれが信号出力コネクタの一例である。光源基板２０は、第１の光源基板の一例であり、第２の光源基板の一例でもある。
【０１１４】
複数の光源基板の各々は、当該光源基板内の同一の回路ノードに属する複数のコネクタを互いに異なる位置に有していてもよい。
【０１１５】
なお、信号入力コネクタ２６ａ、信号入力コネクタ２６ｂ、信号出力コネクタ２７ａおよび信号出力コネクタ２７ｂは、同一の回路ノードに属する複数のコネクタの一例である。また、電力入力コネクタ２８ａ、電力入力コネクタ２８ｂ、電力出力コネクタ２９ａおよび電力出力コネクタ２９ｂは、同一の回路ノードに属する複数のコネクタの一例である。
【０１１６】
以上のように構成された画像表示装置１では、複数の光源基板２０を互いに電気的に連結（カスケード接続）することにより、接続に必要なケーブルを削減することができる。
【０１１７】
また、光源基板２０では、信号または電力を分配する複数のコネクタを互いに異なる位置に設けることで、例えば、他の部材（例えば、補強梁１１等）が配置されているために使用できないコネクタを避けて他の使用可能なコネクタを使用する等、部材の配置位置等に応じて適切にコネクタを選択して使用することが可能である。
【０１１８】
以上説明したように、本実施の形態によれば、独立して調光可能な複数のＬＥＤを有する画像表示装置において、画像表示装置の小型化、薄型化、および組み立てコストの軽減が可能になる。
【０１１９】
（実施の形態３）
次に、図１１および図１２を参照しながら、実施の形態３について説明する。
【０１２０】
実施の形態３に示す画像表示装置１（図示せず）は、実施の形態１または実施の形態２に示した画像表示装置１と実質的に同じものである。実施の形態３では、実施の形態２で説明した光源基板２０間のケーブル接続による制御信号の分配および動作電力の分配について、より具体的に説明する。以下では、実施の形態１または実施の形態２で説明した事項については適宜説明を省略し、実施の形態１および実施の形態２で開示されていない構成を主に説明する。
【０１２１】
［３−１．構成］
図１１は、実施の形態３の画像表示装置１における制御信号および動作電力の伝達経路の一例を模式的に示す図である。図１１では、制御信号および動作電力のそれぞれの伝達経路を、ベースプレート１０の前面側における光源基板２０の配置状態で（すなわち、図１０の左右を反転した状態で）示している。また、図１１では、制御信号の分配のためのコネクタおよびケーブルを薄いグレーで表し、動作電力の分配のためのコネクタおよびケーブルを濃いグレーで表している。なお、図１１では、信号処理基板９２および電源基板９３を光源基板２０と並べて示しているが、信号処理基板９２および電源基板９３は、ベースプレート１０の背面側の、図１１において光源基板２０と重複する位置に配置されてもよい。
【０１２２】
なお、以下の説明では、実施の形態１または実施の形態２に示した画像表示装置１が備える構成要素と実質的に同じ構成要素については、その構成要素と同じ符号を付与して説明を省略する。
【０１２３】
まず、制御信号の分配について説明する。
【０１２４】
実施の形態３における画像表示装置１において、各光源基板２０は、複数の信号系統のうちのいずれか１つの信号系統に属している。本実施の形態では、行または列に配置された光源基板２０が１つの信号系統に属するものとする。また、信号処理基板９２には、実施の形態１で説明したように、光源基板２０のＬＥＤ２１の輝度を制御（調光）するための制御信号を映像信号に基づいて生成する回路が設けられているが、本実施の形態では、この回路は、信号系統毎に制御信号を生成するように構成されているものとする。すなわち、本実施の形態における画像表示装置１は、信号系統毎に制御信号を生成する信号処理基板９２を備える。
【０１２５】
図１１に示す例では、ベースプレート１０上の１６個の光源基板２０は、実施の形態１および実施の形態２でも説明したように、ベースプレート１０の前面に行列状（例えば、４行４列）に配置されている。そして、図面の横方向に並ぶ４つの光源基板２０（すなわち、１つの行に配列された４つの光源基板２０）が１つの信号系統に属する。図１１に示す例では、複数の光源基板２０は、４行に分かれて配置されているので、複数の光源基板２０の各々は、４つの信号系統のいずれかに属する。なお、図１１では、図面における上の行から順に系統１、系統２、系統３、系統４とする。すなわち、図１１に示す例では、系統１、系統２、系統３、および系統４が図面の縦方向に並んで配置されている。なお、本実施の形態は何ら図１１に示す構成に限定されない。
【０１２６】
同一の信号系統に属する複数の光源基板２０は、互いに隣接する（図１１に示す例では、行方向に隣接する）光源基板２０の信号出力コネクタ２７ｂと信号入力コネクタ２６ｂとの間に設けられたケーブル接続によって、直列に接続される。そして、信号処理基板９２で生成された各信号系統の制御信号は、信号系統毎に、その信号系統に属する光源基板２０間で直列に伝達される。
【０１２７】
本実施の形態では、信号処理基板９２で生成された制御信号は、信号系列毎に受信される。そして、当該制御信号を当該信号系統に属する他の光源基板２０へ送信する最初の光源基板２０を、代表光源基板とする。すなわち、信号系統毎に、同一の信号系統に属する複数の光源基板２０のうちの１つの光源基板２０を代表光源基板とする。したがって、本実施の形態の画像表示装置１には、信号系統と同数の複数の代表光源基板が設けられる。各信号系統の代表光源基板は、行または列の端部に配置される。図１１に示す例では、各信号系統の左端（すなわち、各行の端部）に位置する４つの光源基板２０が代表光源基板である。したがって、図１１に示す例では、４つの代表光源基板は列方向に配列される。
【０１２８】
複数の代表光源基板は、互いに隣接する（図１１に示す例では、列方向に隣接する）代表光源基板の信号出力コネクタ２７ａと信号入力コネクタ２６ａとの間に設けられたケーブル接続によって、直列に接続される。そして、信号処理基板９２で生成された複数の信号系統の制御信号は、代表光源基板間で直列に伝達される。なお、本実施の形態では、その伝達（すなわち、代表光源基板間での制御信号の伝達）に使用されるコネクタを、カスケード入力コネクタまたはカスケード出力コネクタと呼ぶ。信号入力コネクタ２６ａはカスケード入力コネクタの一例であり、信号出力コネクタ２７ａはカスケード出力コネクタの一例である。なお、信号入力コネクタ２６ａは信号入力コネクタの一例でもある。すなわち、各代表光源基板では、信号入力コネクタ２６ａはカスケード入力コネクタとして使用されるとともに、信号入力コネクタとしても使用される。これは、信号入力コネクタ２６ａが、入力された制御信号を、信号出力コネクタ２７ａと信号出力コネクタ２７ｂとの両方にスルー出力できるためである。そして、各代表光源基板は、信号入力コネクタ２６ａで受信された当該代表光源基板が属する信号系統の制御信号を、信号出力コネクタ２７ｂへスルー出力する。
【０１２９】
代表光源基板には、制御信号を増幅するバッファ２２１が搭載されている。また、信号系統の終端の光源基板２０（図面における右端の光源基板２０）には制御信号の波形歪を抑制するターミネータ２２２が搭載されている。ドライバ素子２３は、バッファ２２１とターミネータ２２２との間に形成される信号線路から、制御信号を受信する。バッファ２２１は、例えば、リピータＩＣチップで構成され、ターミネータ２２２は、例えば、チップ抵抗で構成される。
【０１３０】
図１２は、実施の形態３における画像表示装置１において基板間の接続によって形成される信号伝達回路の一例を概略的に示す回路図である。
【０１３１】
信号処理基板９２には、コントローラ２２０が搭載されている。コントローラ２２０は、各ＬＥＤ２１を発光させるための輝度に関する制御信号を生成する。制御信号は、例えば、ＬＥＤ２１によって照明される領域毎の画像の明るさを表してもよく、また、ＬＥＤ２１の発光輝度そのものを表してもよい。コントローラ２２０は、専用のハードウェア回路を有するＩＣチップであってもよく、ソフトウェア機能により制御信号を生成するワンチップのマイクロコントローラであってもよい。
【０１３２】
なお、以下の説明では、ある信号系統に属する光源基板２０が備えるＬＥＤ２１を、その信号系統に属するＬＥＤ２１ともいう。
【０１３３】
コントローラ２２０で生成される制御信号は、信号系統毎に当該信号系統に属するＬＥＤ２１の発光輝度を表すデータ信号Ｄ０、データ信号Ｄ１、データ信号Ｄ２、およびデータ信号Ｄ３と、クロック信号ＣＬＫと、を含んでいる。データ信号Ｄ０は、系統１に属するＬＥＤ２１の発光輝度を表す制御信号である。データ信号Ｄ１は、系統２に属するＬＥＤ２１の発光輝度を表す制御信号である。データ信号Ｄ２は、系統３に属するＬＥＤ２１の発光輝度を表す制御信号である。データ信号Ｄ３は、系統４に属するＬＥＤ２１の発光輝度を表す制御信号である。クロック信号ＣＬＫは、データ信号Ｄ０〜Ｄ３のタイミングを規定するクロック信号である。なお、データ信号Ｄ０〜Ｄ３は、信号系統内のＬＥＤ２１の発光輝度または画像の対応領域の明るさを、クロック信号ＣＬＫに同期してシリアルに表す信号であってもよい。
【０１３４】
ドライバ素子２３は、コントローラ２２０と協働するサブコントローラとして機能し、コントローラ２２０からの制御信号に応じて、当該ドライバ素子２３に対応するドライバ素子２２（ＭＯＳトランジスタ）のゲート信号を生成する。ドライバ素子２２は、当該ゲート信号に応じた電流をＬＥＤ２１に供給し、ＬＥＤ２１を制御信号に応じた輝度で発光するように駆動する。
【０１３５】
直列に接続された複数の光源基板間で制御信号を伝達する構成では、一般に、伝達される制御信号の波形歪を抑えるために、負荷（具体的には、１つの制御信号が分配されるドライバ素子２３の個数）が制限される。そのため、その構成では、輝度を互いに独立して制御できる発光ダイオードの個数（チャンネル数）が制限される。
【０１３６】
例えば、直列に接続された複数の光源基板間で、１つの制御信号を分配可能なドライバ素子の数の上限をＭとし、１つのドライバ素子のチャンネル数をＮとすれば、１つの制御信号あたりのチャンネル数はＭ×Ｎに制限される。
【０１３７】
これに対し、図１２に示す構成によれば、複数の信号系統を設け、信号系統毎に制御信号を複数の光源基板２０間で直列に伝達するので、チャンネル数を増大させながら、装置の小型化、薄型化、および組み立てコストの軽減を実現することができる。
【０１３８】
また、図１２に示す構成では、信号処理基板９２が複数の信号系統の制御信号を１つの代表光源基板へ供給するだけで、当該複数の信号系統の制御信号は代表光源基板間で直列に伝達され、さらに、各信号系統の制御信号は当該信号系統の光源基板２０間で直列に伝達される。これにより、信号処理基板９２の配置に関する制約（例えば、信号処理基板９２を、どの信号系統からも略対等になる位置に配置する、といった制約）が軽減され、基板の配置に関する自由度が向上する。また、制御信号を伝達するために必要なケーブルを相対的に短くできるので、装置の小型化、薄型化、および組み立てコストの軽減をより向上することができる。
【０１３９】
また、本実施の形態では、複数の光源基板２０が行列状に配列され、行の端部に代表光源基板が配置されるので、制御信号を伝達するために必要なケーブルの長さが最適化（すなわち、ケーブルの長さが光源基板２０間で最短化）される。なお、この効果は、列毎に信号系統を設定し、列の端部に代表光源基板が配置される構成であっても、同様に得られる。
【０１４０】
次に、動作電力の分配について、図１１を参照しながら説明する。
【０１４１】
本実施の形態において、複数の光源基板２０の各々は、複数のコネクタとして、当該光源基板２０内の同一の電源ノードに属する第１電力入力コネクタ、第２電力入力コネクタ、第１電力出力コネクタ、および第２電力出力コネクタを有する。電力入力コネクタ２８ａは第１電力入力コネクタの一例であり、電力入力コネクタ２８ｂは第２電力入力コネクタの一例であり、電力出力コネクタ２９ａは第１電力出力コネクタの一例であり、電力出力コネクタ２９ｂは第２電力出力コネクタの一例である。すなわち、各光源基板２０において、電力入力コネクタ２８ａ、電力入力コネクタ２８ｂ、電力出力コネクタ２９ａ、および電力出力コネクタ２９ｂは、光源基板２０内の同一の電源ノードに属し、光源基板２０内の配線導体で互いに電気的に接続されている。電力入力コネクタ２８ａと電力出力コネクタ２９ａとの間の配線導体および電力入力コネクタ２８ｂと電力出力コネクタ２９ｂとの間の配線導体は、等価的に互いに電気的に並列に接続され、他の光源基板２０への給電経路を構成している。各光源基板２０は、図示していないグランド（接地電位または基準電位）ノードと当該電源ノードとの間の電圧を電源電圧として用いて動作する。
【０１４２】
これにより、光源基板２０は、電力入力コネクタ２８ａおよび電力入力コネクタ２８ｂのいずれに動作電力が供給されても動作し、また、供給された動作電力を、電力出力コネクタ２９ａおよび電力出力コネクタ２９ｂの両方に出力する。
【０１４３】
複数の光源基板２０の各々は、前述の信号系統とは別に設けられた、複数の給電系統のうちのいずれか１つの給電系統に属している。そして、第１の給電系統に属する複数の光源基板２０は、互いに隣接する光源基板２０の第１電力出力コネクタと第１電力入力コネクタとの間に設けられたケーブル接続によって直列に接続され、電源基板９３から供給される動作電力を当該光源基板２０間で直列に伝達する。第２の給電系統に属する複数の光源基板２０は、互いに隣接する光源基板２０の第２電力出力コネクタと第２電力入力コネクタとの間に設けられたケーブル接続によって直列に接続され、電源基板９３から供給される動作電力を当該光源基板２０間で直列に伝達する。なお、図１１には、給電系統が前述の信号系統と一致している例を示している。すなわち、図１１に示す例では、１つの行に配列された４つの光源基板２０が１つの給電系統に属する。なお、図１１に示す構成は単なる一例に過ぎず、給電系統と信号系統とは互いに異なっていてもよい。
【０１４４】
図１１には、系統１は第１の給電系統であり、系統２、系統３および系統４は第２の給電系統である例を示す。したがって、第１の給電系統（系統１）に属する複数の光源基板２０は、互いに隣接する光源基板２０の電力出力コネクタ２９ａと電力入力コネクタ２８ａとの間に設けられたケーブル接続によって直列に接続され、電源基板９３から供給された動作電力を光源基板２０間で直列に伝達する。
【０１４５】
また、第２の給電系統（系統２、系統３、系統４）に属する複数の光源基板２０は、互いに隣接する光源基板２０の電力出力コネクタ２９ｂと電力入力コネクタ２８ｂとの間に設けられたケーブル接続によって直列に接続され、電源基板９３から供給された動作電力を光源基板２０間で直列に伝達する。
【０１４６】
［３−２．効果等］
以上のように、本実施の形態の画像表示装置において、複数の光源基板の各々は複数の信号系統のうちのいずれか１つの信号系統に属してもよい。画像表示装置は、信号系統毎に制御信号を生成する信号処理基板をさらに備えてもよい。同一の信号系統に属する複数の光源基板は、互いに隣接する光源基板の信号出力コネクタと信号入力コネクタとの間に設けられたケーブル接続によって直列に接続されてもよい。信号処理基板で生成された当該信号系統の制御信号は当該信号系統に属する光源基板間で直列に伝達されてもよい。
【０１４７】
なお、系統１、系統２、系統３、系統４は、複数の信号系統の一例である。信号処理基板９２は信号処理基板の一例である。
【０１４８】
画像表示装置において、複数の光源基板の各々は、制御信号を受信するカスケード入力コネクタと、制御信号をスルー出力するカスケード出力コネクタとを、さらに有してもよい。信号系統毎に１つの光源基板を代表光源基板として複数の代表光源基板を設けてもよい。複数の代表光源基板は、互いに隣接する代表光源基板のカスケード出力コネクタとカスケード入力コネクタとの間に設けられたケーブル接続によって直列に接続されてもよく、信号処理基板で生成された複数の信号系統の制御信号を当該代表光源基板間で直列に伝達してもよい。複数の代表光源基板の各々は、当該代表光源基板が属する信号系統の制御信号を信号出力コネクタへ出力してもよい。
【０１４９】
なお、信号入力コネクタ２６ａはカスケード入力コネクタの一例である。信号出力コネクタ２７ａはカスケード出力コネクタの一例である。図１１の左端に配置された４つの光源基板２０は、代表光源基板の一例である。データ信号Ｄ０、データ信号Ｄ１、データ信号Ｄ２、およびデータ信号Ｄ３は、複数の信号系統の制御信号の一例である。信号出力コネクタ２７ｂは、代表光源基板が属する信号系統の制御信号を出力する信号出力コネクタの一例である。
【０１５０】
画像表示装置において、複数の光源基板は、行列状に配置され、行または列に配置された光源基板が１つの信号系統に属してもよい。また、複数の信号系統の各々の代表光源基板は、行または列の端部に配置されていてもよい。
【０１５１】
なお、図１１に示す光源基板２０の配置、信号系統の設定および代表光源基板は、そのような構成の一例である。
【０１５２】
画像表示装置において、複数の光源基板の各々は、複数のコネクタとして、当該光源基板内の同一の電源ノードに属する第１電力入力コネクタ、第２電力入力コネクタ、第１電力出力コネクタ、および第２電力出力コネクタを有してもよい。複数の光源基板の各々は、複数の給電系統のうちのいずれか１つの給電系統に属してもよい。画像表示装置は、複数の光源基板に動作電力を供給する電源基板をさらに備えてもよい。第１の給電系統に属する複数の光源基板は、互いに隣接する当該光源基板の第１電力出力コネクタと第１電力入力コネクタとの間に設けられたケーブル接続によって直列に接続されてもよく、電源基板から供給された動作電力を当該光源基板間で直列に伝達してもよい。第２の給電系統に属する複数の光源基板は、互いに隣接する当該光源基板の第２電力出力コネクタと第２電力入力コネクタとの間に設けられたケーブル接続によって直列に接続されてもよく、電源基板から供給された動作電力を当該光源基板間で直列に伝達してもよい。
【０１５３】
なお、電力入力コネクタ２８ａは第１電力入力コネクタの一例である。電力入力コネクタ２８ｂは第２電力入力コネクタの一例である。電力出力コネクタ２９ａは第１電力出力コネクタの一例である。電力出力コネクタ２９ｂは第２電力出力コネクタの一例である。第１の給電系統および第２の給電系統は、複数の給電系統の一例である。電源基板９３は電源基板の一例である。系統１の各光源基板２０は、第１の給電系統に属する複数の光源基板の一例である。系統２〜系統４の各光源基板２０は、第２の給電系統に属する複数の光源基板の一例である。
【０１５４】
以上のように構成された画像表示装置１では、給電系統毎に複数の光源基板２０間で動作電力が直列に伝達されるので、接続に必要なケーブルを削減し、装置の小型化、薄型化、および組み立てコストの軽減を実現することができる。また、光源基板２０を直列に接続する際に、給電系統毎に、他の部材との干渉が生じないように適切なコネクタを選択して使用することができる。これにより、ベースプレート１０に複数の光源基板２０を取り付けるときに、その取り付け位置によって使用可能なコネクタが異なる場合でも、複数の給電系統で互いに同じ構成の複数の光源基板２０を用いることができるので、基板の共通化によるコスト削減を図ることができる。
【０１５５】
（他の実施の形態）
以上のように、本出願において開示する技術の例示として、実施の形態１〜３を説明した。そのために、添付図面および詳細な説明を提供した。
【０１５６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５７】
また、上述の実施の形態は、本開示における技術を例示するためのものであるから、特許請求の範囲またはその均等の範囲において種々の変更、置き換え、付加、省略などを行うことができる。また、上記実施の形態１〜３で説明した各構成要素を組み合わせて、新たな実施の形態とすることも可能である。
【０１５８】
なお、上述の説明における各部材の配置位置や形状等において、目的とする効果を得られる範囲での誤差やばらつきは許容される。
【産業上の利用可能性】
【０１５９】
本開示は、画像表示装置に適用可能である。具体的には、テレビジョン受像機、映像録画再生装置、またはコンピュータディスプレイ装置等に、本開示は適用可能である。
【符号の説明】
【０１６０】
１    画像表示装置
１ａ    筐体
１０    ベースプレート
１１，１２    補強梁
１３，１３ａ    開口
１４，１５    ケーブル
２０，２０ａ，２０ｂ，２０ｃ，２０ｄ，２０ｅ，２０ｆ，２０ｇ    光源基板
２１    ＬＥＤ
２２，２３    ドライバ素子
２４    開口
２５    ビス孔
２６ａ，２６ｂ    信号入力コネクタ
２７ａ，２７ｂ    信号出力コネクタ
２８ａ，２８ｂ    電力入力コネクタ
２９ａ，２９ｂ    電力出力コネクタ
３０    反射シート
３１    隆起
３２，３３    開口
３５    接着テープ
３６    サポートピン
４０    フラッタ
４１，４１Ａ    孔
５０    光学シート
６０    モールドフレーム
７０    液晶表示パネル
７１    領域
８０    ベゼル
９１    接続端子基板
９２    信号処理基板
９３    電源基板
２２０    コントローラ
２２１    バッファ
２２２    ターミネータ
【図１】
2017038083.tif 000003
【図２】
2017038083.tif 000004
【図３】
2017038083.tif 000005
【図４】
2017038083.tif 000006
【図５】
2017038083.tif 000007
【図６】
2017038083.tif 000008
【図７】
2017038083.tif 000009
【図８】
2017038083.tif 000010
【図９】
2017038083.tif 000011
【図１０】
2017038083.tif 000012
【図１１】
2017038083.tif 000013
【図１２】
2017038083.tif 000014
【手続補正書】
【提出日】平成30年2月27日(2018.2.27)
【手続補正１】
【補正対象書類名】明細書
【補正対象項目名】全文
【補正方法】変更
【補正の内容】
【発明の詳細な説明】
【技術分野】
【０００１】
本開示は、バックライトを有する画像表示装置に関する。
【背景技術】
【０００２】
例えば液晶表示装置等の、バックライトを有する画像表示装置において、画質を向上させるための様々な技術が継続的に開発されている。そのような技術の一例に、例えば、ローカルディミング（Ｌｏｃａｌ  Ｄｉｍｍｉｎｇ）と呼ばれる技術がある。
【０００３】
特許文献１は、ローカルディミングに関する技術を開示する。ローカルディミングとは、液晶表示パネルを複数の領域に分け、各領域に対応して配置された複数の光源を、液晶表示パネルの各領域に映し出される画像の明るさに応じて調光する技術である。この技術により、１画面内の画像のコントラストを向上させることができる。光源には、例えばＬＥＤ（Ｌｉｇｈｔ  Ｅｍｉｔｔｉｎｇ  Ｄｉｏｄｅ：発光ダイオード）が用いられる。
【先行技術文献】
【特許文献】
【０００４】
【特許文献１】特開２０１４−４１８３０号公報
【発明の概要】
【０００５】
ローカルディミングが行われる画像表示装置において、互いに独立して調光可能なＬＥＤの数を増やすことは、画像に基づくバックライトの部分的な制御をよりきめ細かく行うことが可能になるので、１画面内でのコントラストを精度良く高めるために有効である。
【０００６】
しかしながら、多数のＬＥＤが互いに独立して調光される画像表示装置では、多数のＬＥＤに対応した多数の基板や多数のケーブルが必要となる。そして、それらの増加は、画像表示装置の小型化、薄型化の障害となったり、画像表示装置の組み立てコストを増加させたりする可能性がある。
【０００７】
本開示は、互いに独立して調光することができる複数のＬＥＤを有し、装置の小型化、薄型化、および組み立てコストの軽減が可能な画像表示装置を提供する。
【０００８】
本開示の一態様における画像表示装置は、液晶表示パネルと、液晶表示パネルを背面から照明するための複数の光源基板と、を備える。複数の光源基板の各々は、制御信号を受信する信号入力コネクタと、各々が液晶表示パネルの互いに異なる領域に対応して設けられた複数の発光ダイオードと、複数の発光ダイオードの各々を、制御信号に従って画像の対応領域内の明るさに応じた輝度で発光するように駆動するドライバ素子と、制御信号をスルー出力する信号出力コネクタと、を有する。そして、複数の光源基板のうちの第１の光源基板の信号出力コネクタと第２の光源基板の信号入力コネクタとが電気的に接続されている。
【０００９】
本開示における画像表示装置は、複数の発光ダイオードと複数のドライバ素子とが１つの光源基板に搭載されるので、基板やケーブルを削減でき、装置の小型化、薄型化、および組み立てコストの軽減が可能になる。また、複数の光源基板を、信号出力コネクタと信号入力コネクタとの接続を介してカスケード接続することにより、接続に必要なケーブルを削減することができる。
【図面の簡単な説明】
【００１０】
【図１】図１は、実施の形態１における画像表示装置の外観の一例を模式的に示す図である。
【図２】図２は、実施の形態１における画像表示装置の構成の一例を模式的に示す分解斜視図である。
【図３】図３は、実施の形態１における画像表示装置が備える光源基板の構成の一例を模式的に示す平面図である。
【図４】図４は、実施の形態１における画像表示装置が備える反射シートの形状の一例を模式的に示す斜視図である。
【図５】図５は、実施の形態１における画像表示装置が備えるフラッタの形状の一例を模式的に示す平面図である。
【図６】図６は、実施の形態１の画像表示装置における光源基板への反射シートの取り付け例を模式的に示す斜視図である。
【図７】図７は、実施の形態１の画像表示装置における光源基板、反射シート、およびフラッタを含む部材の配置の一例を模式的に示す断面図である。
【図８】図８は、実施の形態１の画像表示装置における光源基板、反射シート、およびフラッタを含む部材の配置の一例を模式的に示す断面図である。
【図９】図９は、実施の形態２における画像表示装置において光源基板に設けられるコネクタの配置の一例を模式的に示す平面図である。
【図１０】図１０は、実施の形態２における画像表示装置においてバックライトを構成する複数の光源基板の接続の一例を模式的に示す平面図である。
【図１１】図１１は、実施の形態３の画像表示装置における制御信号および動作電力の伝達経路の一例を模式的に示す図である。
【図１２】図１２は、実施の形態３における画像表示装置において基板間の接続によって形成される信号伝達回路の一例を概略的に示す回路図である。
【発明を実施するための形態】
【００１１】
本開示の一態様における画像表示装置は、液晶表示パネルと、液晶表示パネルを背面から照明するための複数の光源基板と、を備える。複数の光源基板の各々は、制御信号を受信する信号入力コネクタと、各々が液晶表示パネルの互いに異なる領域に対応して設けられた複数の発光ダイオードと、複数の発光ダイオードの各々を、制御信号に従って画像の対応領域内の明るさに応じた輝度で発光するように駆動するドライバ素子と、制御信号をスルー出力する信号出力コネクタと、を有する。そして、複数の光源基板のうち第１の光源基板の信号出力コネクタと第２の光源基板の信号入力コネクタとが電気的に接続される。
【００１２】
このような構成によれば、１つの光源基板に複数の発光ダイオードと複数のドライバ素子とが搭載されるので、画像表示装置において、基板やケーブルを削減でき、装置の小型化、薄型化、および組み立てコストの軽減が可能になる。また、複数の光源基板を、信号出力コネクタと信号入力コネクタとの接続を介してカスケード接続することにより、接続に必要なケーブルを削減することができる。
【００１３】
また、複数の光源基板の各々は複数の信号系統のうちのいずれか１つの信号系統に属してもよく、画像表示装置は、信号系統毎に制御信号を生成する信号処理基板をさらに備えてもよい。同一の信号系統に属する複数の光源基板は、互いに隣接する光源基板の信号出力コネクタと信号入力コネクタとの間に設けられたケーブル接続によって直列に接続されてもよく、信号処理基板で生成された当該信号系統の制御信号を当該光源基板間で直列に伝達してもよい。
【００１４】
直列に接続された複数の光源基板間で制御信号を伝達する構成では、一般に、伝達される制御信号の波形歪を抑えるために、負荷（具体的には、１つの制御信号が分配されるドライバ素子の個数）が制限される。そのため、その構成では、輝度を互いに独立して制御できる発光ダイオードの個数（以下、チャンネル数とも言う）が制限される。
【００１５】
これに対し、前述の構成によれば、複数の信号系統を設け、信号系統毎の制御信号を複数の光源基板間で直列に伝達するので、チャンネル数を増大させながら、装置の小型化、薄型化、および組み立てコストの軽減を実現することができる。
【００１６】
また、複数の光源基板の各々は、制御信号を受信するカスケード入力コネクタと、制御信号をスルー出力するカスケード出力コネクタとを、さらに有してもよい。信号系統毎に１つの光源基板を代表光源基板として複数の代表光源基板を設けてもよい。複数の代表光源基板は、互いに隣接する代表光源基板のカスケード出力コネクタとカスケード入力コネクタとの間に設けられたケーブル接続によって直列に接続されてもよく、信号処理基板で生成された複数の信号系統の制御信号を当該代表光源基板間で直列に伝達してもよい。複数の代表光源基板の各々は、当該代表光源基板が属する信号系統の制御信号を信号出力コネクタへ出力してもよい。
【００１７】
このような構成によれば、信号処理基板が複数の信号系統の制御信号を１つの代表光源基板へ供給するだけで、当該複数の信号系統の制御信号は代表光源基板間で直列に伝達され、さらに、各信号系統の制御信号は当該信号系統の光源基板間で直列に伝達される。これにより、信号処理基板の配置に関する制約（例えば、信号処理基板を、どの信号系統からも略対等になる位置に配置する、といった制約）が軽減され、基板の配置に関する自由度が向上する。また、制御信号を伝達するために必要なケーブルを相対的に短くできるので、装置の小型化、薄型化、および組み立てコストの軽減をより向上することができる。
【００１８】
また、複数の光源基板が行列状に配置され、行または列に配置された光源基板が１つの信号系統に属してもよい。複数の信号系統の各々の代表光源基板は、行または列の端部に配置されてもよい。
【００１９】
このような構成によれば、複数の光源基板が行列状に配置され、行または列の端部に代表光源基板が配置されるので、制御信号を伝達するために必要なケーブルの長さを最適化できる。
【００２０】
また、複数の光源基板の各々は、当該光源基板内の同一の回路ノードに属する複数のコネクタを互いに異なる位置に有してもよい。
【００２１】
このような構成によれば、所定の回路ノードに属するコネクタにケーブルを接続する際に、他の部材との干渉が生じないように適切なコネクタを選択して使用することができる。これにより、例えば、複数の光源基板を配置するときに、その配置位置によって使用可能なコネクタが異なる場合でも、互いに同じ構成の複数の光源基板を用いることができるので、基板の共通化によるコスト削減を図ることができる。
【００２２】
また、複数の光源基板の各々は、複数のコネクタとして、当該光源基板内の同一の電源ノードに属する第１電力入力コネクタ、第２電力入力コネクタ、第１電力出力コネクタ、および第２電力出力コネクタを有してもよい。複数の光源基板の各々は、複数の給電系統のうちのいずれか１つの給電系統に属してもよい。画像表示装置は、複数の光源基板に動作電力を供給する電源基板をさらに備えてもよい。第１の給電系統に属する複数の光源基板は、互いに隣接する当該光源基板の第１電力出力コネクタと第１電力入力コネクタとの間に設けられたケーブル接続によって直列に接続されてもよく、電源基板から供給された動作電力を当該光源基板間で直列に伝達してもよい。第２の給電系統に属する複数の光源基板は、互いに隣接する当該光源基板の第２電力出力コネクタと第２電力入力コネクタとの間に設けられたケーブル接続によって直列に接続されてもよく、電源基板から供給された動作電力を当該光源基板間で直列に伝達してもよい。
【００２３】
このような構成によれば、給電系統毎に複数の光源基板間で動作電力が直列に伝達されるので、接続に必要なケーブルを削減し、装置の小型化、薄型化、および組み立てコストの軽減を実現することができる。また、光源基板を直列に接続する際に、給電系統毎に、他の部材との干渉が生じないように適切なコネクタを選択して使用することができる。これにより、光源基板の配置位置によって使用可能なコネクタが異なる場合でも、複数の給電系統で互いに同じ構成の複数の光源基板を用いることができるので、基板の共通化によるコスト削減を図ることができる。
【００２４】
また、複数の光源基板の各々において、発光ダイオードとドライバ素子とが当該光源基板の同一面に搭載されてもよい。
【００２５】
このような構成によれば、発光ダイオードとドライバ素子とが光源基板の一方の面に搭載されるので、製造工程における光源基板へ部品を実装する作業が、それらを両面に実装する場合と比較して、簡単になる。光源基板の一方の面には、個々の発光ダイオードの光を対応する領域に導くための反射板が設けられる。当該反射板は、互いに隣り合う発光ダイオードに対応する領域間での光漏れを低減するための仕切りとしての隆起を有していてもよい。そのような隆起を中空とし、その隆起内にドライバ素子を格納すれば、ドライバ素子と反射シートとが干渉して輝度むらが発生することを防止できる。また、隆起内の空間を有効に活用してドライバ素子を光源基板に搭載できる。
【００２６】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００２７】
なお、以下で説明する実施の形態は、いずれも本開示の一具体例を示すものである。以下の実施の形態で示される数値、形状、材料、構成要素、構成要素の配置位置および接続形態等は、一例であり、本開示を限定する主旨ではない。また、以下の実施の形態における構成要素のうち、最上位概念を示す独立請求項に記載されていない構成要素については、任意の構成要素として説明される。
【００２８】
なお、添付図面および以下の説明は、当業者が本開示を十分に理解するために提供されるのであって、これらにより特許請求の範囲に記載の主題を限定することは意図されていない。
【００２９】
また、各図は、模式図であり、必ずしも厳密に図示されたものではない。また、各図において、実質的に同じ構成要素については同じ符号を付し、説明を省略または簡略化する場合がある。
【００３０】
（実施の形態１）
以下、図１〜図８を参照しながら実施の形態１における画像表示装置１について説明する。なお、本実施の形態では、図面にＸ軸、Ｙ軸、Ｚ軸の３軸を示し、液晶表示パネルの長辺に平行な方向の軸をＸ軸、液晶表示パネルの短辺に平行な方向の軸をＹ軸、Ｘ軸Ｙ軸の双方に直交する軸をＺ軸とする。しかし、これらの軸は便宜的に示したものに過ぎず、何ら本開示を限定するものではない。
【００３１】
［１−１．構成］
実施の形態１における画像表示装置１は、液晶表示パネルと、その液晶表示パネルを背面から照明するための光源基板と、を備える。画像表示装置１は、画像表示装置の一例である。光源基板には、各々が液晶表示パネルの互いに異なる領域に対応して設けられた複数のＬＥＤと、複数のＬＥＤの各々を、制御信号に従って画像の対応領域内の明るさに応じた輝度で発光するように駆動（調光）するドライバ素子と、が搭載される。なお、画像の対応領域内の明るさとは、１つのＬＥＤ（または、一箇所に配置されたＬＥＤ）が照明する液晶表示パネルの領域（すなわち、そのＬＥＤに対応する領域）における画像の明るさ（画像の部分的な明るさ）のことである。
【００３２】
図１は、実施の形態１における画像表示装置１の外観の一例を模式的に示す図である。
【００３３】
図１に示すように、画像表示装置１は、液晶表示パネル７０および光源基板（図１には示さず）が、前面が開放された筐体１ａ内に格納された、一般的なフラットパネルディスプレイの外観を有する。なお、本実施の形態では、画像表示装置１および各構成部材におけるユーザに正対する面（図１に示されている側の面）を前面と称し、前面の反対側の面（裏面）を背面と称する。
【００３４】
図２は、実施の形態１における画像表示装置１の構成の一例を模式的に示す分解斜視図である。
【００３５】
図２に示すように、画像表示装置１は、ベースプレート１０、複数の光源基板２０、反射シート３０、フラッタ４０、各種の光学シート５０、モールドフレーム６０、液晶表示パネル７０、ベゼル８０、接続端子基板９１、信号処理基板９２、および電源基板９３、を備える。これらの部材が筐体１ａ（図１参照）に格納されて、画像表示装置１は構成されている。なお、画像表示装置１は、これらの部材の他に、支持部材、締結部材、および補強部材、等を有するが、それらの部材の図示は省略する。
【００３６】
ベースプレート１０は、光源基板２０、接続端子基板９１、信号処理基板９２、および電源基板９３を取り付ける基台である。ベースプレート１０は、例えば、板金で形成されるが、他の材料で形成されてもよい。ベースプレート１０には、ねじ穴や、後述する開口、等が設けられている。
【００３７】
光源基板２０は、液晶表示パネル７０を照明するバックライトモジュールである。光源基板２０は、複数のＬＥＤと、複数のＬＥＤの各々を駆動する複数のドライバ素子と、を備える。それらは、光源基板２０の同一面に搭載されている。複数の光源基板２０は、互いに同じ形であってもよい。光源基板２０の詳細は後述する。
【００３８】
画像表示装置１は、複数の光源基板２０を、同一面内にマトリクス状に配置された状態で備えている。これら複数の光源基板２０の各々は、ベースプレート１０の前面（液晶表示パネル７０側の面）に取り付けられている。具体的には、各光源基板２０は、ベースプレート１０の前面に、第一方向に沿って配列され、かつ第一方向に直交する第二方向に沿って配列されている。以下、第一方向を「行」ともいい、第二方向を「列」ともいう。すなわち、複数の光源基板２０は、ベースプレート１０の前面において、行と列のそれぞれに配列されて行列状に配置されている。画像表示装置１では、これら複数の光源基板２０により、液晶表示パネル７０を照明するバックライトが構成される。
【００３９】
なお、第一方向（行）は、液晶表示パネル７０の長辺に並行な方向であってもよく、第二方向（列）は、液晶表示パネル７０の短辺に並行な方向であってもよい。また、それらは互いに逆であってもよい。
【００４０】
反射シート３０は、光源基板２０の前面（液晶表示パネル７０側の面）に設置され、開口を有し、その開口を貫通したＬＥＤ（図３に示す光源基板２０のＬＥＤ２１）から出射される光の一部を液晶表示パネル７０に向けて反射するシートである。反射シート３０は、例えば、白色の合成樹脂で形成されるが、白色の他の材料で形成されてもよい。反射シート３０には、互いに隣り合うＬＥＤの間を仕切る中空の隆起（図４参照）が、前面側（液晶表示パネル７０側）に突出した形状で形成されている。したがって、ＬＥＤの周囲は隆起によって囲まれ、各ＬＥＤは、当該ＬＥＤの周りの当該隆起で囲まれた領域を照明する。反射シート３０の詳細は後述する。
【００４１】
フラッタ４０は、ＬＥＤによって照射される領域（反射シート３０の隆起で囲まれた領域）の輝度の均一性を向上させるために、反射シート３０の前面（液晶表示パネル７０側の面）に設置された光学シートである。フラッタ４０は、ＬＥＤから出射される光を一様に透過するのではなく、ＬＥＤによって照明される領域内に、光の透過率（以下、単に「透過率」ともいう）の分布を有する。なお、本実施の形態では、透過率が相対的に高い部分と透過率が相対的に低い部分とが分布していることを透過率の分布という。フラッタ４０は、例えば、合成樹脂で形成されるが、他の材料で形成されてもよい。光源基板２０が備えるＬＥＤは点光源のため、フラッタ４０がない場合、そのＬＥＤが照明する領域内には輝度に偏り（輝度分布）が生じる。フラッタ４０は、その輝度分布を相殺するように設定された透過率の分布を有する。これにより、ＬＥＤによる領域内の輝度の均一性を向上することができる。フラッタ４０の詳細は後述する。
【００４２】
光学シート５０は、フラッタ４０以外の各種の光学機能を有するシートである。光学シート５０は、例えば、光を拡散することにより輝度の均一性をさらに向上する拡散板や、光の進路を前面方向に揃えることによりユーザによって視認される輝度を向上するプリズムシート、等を含む。光学シート５０は、例えば、機能に応じた微細形状が表面に設けられて成形された合成樹脂で構成することができる。
【００４３】
モールドフレーム６０は、液晶表示パネル７０の外周を背面から支持する支持部材である。モールドフレーム６０は、例えば、合成樹脂で形成されるが、他の材料で形成されてもよい。また、モールドフレーム６０は、ベースプレート１０に固定されてもよい。
【００４４】
液晶表示パネル７０は、例えば、複数の液晶の画素がマトリクス状に配列されて構成された画像表示用の液晶表示パネルである。
【００４５】
ベゼル８０は、液晶表示パネル７０の外周を前面から支持する支持部材である。ベゼル８０は、例えば、金属で形成されるが、合成樹脂で形成されてもよい。
【００４６】
接続端子基板９１は、映像信号を受信するための端子およびインターフェース回路が設けられた回路基板である。信号処理基板９２は、映像信号を処理するための信号処理回路が設けられた回路基板である。信号処理基板９２には、光源基板２０のＬＥＤの輝度を制御（調光）するための制御信号を、映像信号に基づいて生成する回路も設けられている。電源基板９３は、画像表示装置１に動作電力（以下、単に「電力」ともいう）を供給するための電源回路が設けられた回路基板である。接続端子基板９１、信号処理基板９２、および電源基板９３は、ベースプレート１０の背面に取り付けられている。
【００４７】
次に、光源基板２０について説明する。
【００４８】
図３は、実施の形態１における画像表示装置１が備える光源基板２０の構成の一例を模式的に示す平面図である。なお、図３には、光源基板２０の前面に配置された各部材の一例を示している。また、図３の一部には、視覚的にわかりやすくするために、便宜的に、個々のＬＥＤ２１で照明される液晶表示パネル７０の領域７１に対応する位置を破線で示している。
【００４９】
図３に示すように、光源基板２０には、複数のＬＥＤ２１と複数のドライバ素子２２およびドライバ素子２３とが同一の面（光源基板２０の前面）に搭載されている。
【００５０】
ＬＥＤ２１の各々は、液晶表示パネル７０の互いに異なる領域７１に対応して設けられている。本実施の形態における画像表示装置１では、ＬＥＤ２１に高電圧ＬＥＤが用いられる。高電圧ＬＥＤとは、例えば、複数のＬＥＤ素子（すなわち、複数のｐｎ接合）を直列に接続して構成されたＬＥＤである。高電圧ＬＥＤは、単一のＬＥＤ素子（低電圧ＬＥＤ）と比べて、より高い電圧を印加することができる。そして、高電圧ＬＥＤは、より高い電圧を印加することにより、単一のＬＥＤ素子に流れる電流と実質的に同じ電流で、より高い発光輝度を得ることができる。したがって、高電圧ＬＥＤにおいて低電圧ＬＥＤと同じ発光輝度を得る場合には、高電圧ＬＥＤに流れる電流を、低電圧ＬＥＤに流れる電流よりも低く抑えることができる。したがって、画像表示装置１において複数の光源基板２０を互いに電気的に連結（カスケード接続）するような場合に、配線等で発生する熱を抑制することができ、光源基板２０に電力を供給する電源の負荷を軽減することが可能となる。
【００５１】
このように、光源基板２０では、ＬＥＤ２１の駆動電流の増加を抑制しつつより高い発光輝度を得ることができるので、ドライバ素子２２およびドライバ素子２３での発熱を抑制することができる。したがって、ＬＥＤ２１と、ドライバ素子２２およびドライバ素子２３とを、１つの光源基板２０上に搭載することが可能となる。
【００５２】
なお、高電圧ＬＥＤとは、例えば１０（Ｖ）以上、５０（Ｖ）以下の範囲の駆動電圧で駆動されるＬＥＤである。本実施の形態における画像表示装置１では、高電圧ＬＥＤとして、駆動電圧が２０（Ｖ）以上、４０（Ｖ）以下のＬＥＤが使用されてもよい。一方、低電圧ＬＥＤとは、駆動電圧が、例えば３（Ｖ）以上、６（Ｖ）以下の範囲のＬＥＤである。
【００５３】
ドライバ素子２２およびドライバ素子２３は、信号処理基板９２から供給される制御信号に基づきＬＥＤ２１を駆動する半導体素子である。ドライバ素子２２およびドライバ素子２３には、各ＬＥＤ２１を発光させるための輝度に関する制御信号が供給される。ドライバ素子２２およびドライバ素子２３は、ＬＥＤ２１の各々を、当該制御信号に従って、画像の対応する領域７１の明るさに応じた輝度で発光するように駆動（調光）する。ドライバ素子２２は、例えば、酸化物半導体（ＭＯＳ：Ｍｅｔａｌ−Ｏｘｉｄｅ  Ｓｅｍｉｃｏｎｄｕｃｔｏｒ）トランジスタであってもよい。また、ドライバ素子２３は、例えば、制御信号からドライバ素子２２のゲート信号を生成する半導体集積回路（ＩＣ：Ｉｎｔｅｇｒａｔｅｄ  Ｃｉｒｃｕｉｔ）であってもよい。
【００５４】
このように、信号処理基板９２は、画像の領域７１毎の明るさを表す制御信号を生成してもよい。ドライバ素子２２およびドライバ素子２３は、ＬＥＤ２１の各々を、各ＬＥＤ２１に対応する領域７１の当該制御信号によって表される明るさに応じた輝度で発光するように駆動してもよい。
【００５５】
また、信号処理基板９２は、画像の領域７１毎の明るさに応じて、各領域７１に対応するＬＥＤ２１を発光させるための輝度を表す制御信号を生成してもよい。ドライバ素子２２およびドライバ素子２３は、ＬＥＤ２１の各々を、当該制御信号によって表される輝度で発光するように駆動してもよい。
【００５６】
光源基板２０には、フラッタ４０を支持するサポートピンを立てるための開口２４、および光源基板２０をベースプレート１０にビス止めするためのビス孔２５、が設けられている。
【００５７】
光源基板２０では、ドライバ素子２２、ドライバ素子２３、開口２４、およびビス孔２５を、互いに隣接する領域７１の境界線上に配置している。このような配置による効果については後述する。
【００５８】
次に、反射シート３０について説明する。
【００５９】
図４は、実施の形態１における画像表示装置１が備える反射シート３０の形状の一例を模式的に示す斜視図である。図４の一部には、視覚的にわかりやすくするために、領域７１に対応する位置を破線で示している。
【００６０】
図４に示すように、反射シート３０には、隆起３１、開口３２、および開口３３が形成されている。
【００６１】
開口３２は、反射シート３０の背面側に配置されている光源基板２０のＬＥＤ２１に対応する位置に設けられている。ＬＥＤ２１は、反射シート３０の背面から開口３２を貫通して反射シート３０の前面に露出する。
【００６２】
反射シート３０は、ＬＥＤ２１から照射される光を反射するように、白色の合成樹脂で形成されている。そして、反射シート３０は、開口３２を貫通して前面に露出したＬＥＤ２１から出射される光の一部（背面方向に進行する光、等）を前方（液晶表示パネル７０方向）へ反射する。
【００６３】
隆起３１は、中空であり、互いに隣り合う開口３２（すなわち、互いに隣り合うＬＥＤ２１）の間を仕切る位置に形成されている。具体的には、隆起３１は、互いに隣り合うＬＥＤ２１によって照明される領域７１（互いに隣り合う領域７１）の境界上に、境界上の一部を除外して形成されている。
【００６４】
反射シート３０における、互いに隣り合う領域７１の境界上の、隆起３１の形成が除外された部分には、開口３３が形成されている。サポートピンは、開口３３、および光源基板２０の開口２４を貫通して、ベースプレート１０に取り付けられる。
【００６５】
次に、フラッタ４０について説明する。
【００６６】
図５は、実施の形態１における画像表示装置１が備えるフラッタ４０の形状の一例を模式的に示す平面図である。図５の一部には、視覚的にわかりやすくするために、領域７１に対応する位置を破線で示している。
【００６７】
図５に示すように、フラッタ４０は、合成樹脂で形成されたシートに大小様々な大きさの孔４１が設けられて、形成されている。フラッタ４０では、孔４１によって光の透過率を調整している。すなわち、フラッタ４０は、領域７１内に、孔４１の配置（大きさ、位置、数）に応じた透過率の分布を有する。フラッタ４０における透過率の分布は、フラッタ４０がない場合に領域７１内にＬＥＤ２１により生じる輝度分布（輝度の偏り）を相殺するように設定されている。これにより、フラッタ４０は、領域７１内の輝度の均一性を向上することができる。
【００６８】
次に、光源基板２０への反射シート３０の取り付けと、各部材の配置について説明する。
【００６９】
図６は、実施の形態１の画像表示装置１における光源基板２０への反射シート３０の取り付け例を模式的に示す斜視図である。
【００７０】
図７、図８は、実施の形態１の画像表示装置１における光源基板２０、反射シート３０、およびフラッタ４０を含む部材の配置の一例を模式的に示す断面図である。図７には図６のＡ−Ａ線断面図を示し、図８には図６のＢ−Ｂ線断面図を示す。なお、図６ではフラッタ４０の図示を省略しているが、図７、図８にはフラッタ４０を示している。
【００７１】
図６、図７、図８に示すように、反射シート３０は、開口３２の周囲の平坦部分において接着テープ３５で光源基板２０に貼り付けられるとともに、開口２４および開口３３を貫通してベースプレート１０に取り付けられるサポートピン３６によって光源基板２０に固定される。こうして、反射シート３０は、光源基板２０に結合される。
【００７２】
光源基板２０のＬＥＤ２１は、反射シート３０の背面から開口３２を貫通して反射シート３０の前面に露出する。光源基板２０のドライバ素子２２およびドライバ素子２３は、隆起３１内の空間（隆起３１により反射シート３０の背面と光源基板２０の前面との間に形成される空間）に格納される。
【００７３】
図６〜図８には図示していないが、光源基板２０は、ビス孔２５（図３参照）を通ってベースプレート１０に取り付けられるビスによって、ベースプレート１０に固定されている。そして、そのビスの頭部も、隆起３１内の空間に格納される。
【００７４】
フラッタ４０は、サポートピン３６によって支持されて反射シート３０の前面側に配置される。具体的には、フラッタ４０は、フラッタ４０の特定の孔４１Ａがサポートピン３６の上部の切り欠きに嵌め込まれることにより、サポートピン３６に支持される。なお、フラッタ４０には複数の孔４１（図５参照）が設けられているが、図７、図８では孔４１の図示を省略している。
【００７５】
このようにして光源基板２０、反射シート３０、およびフラッタ４０は互いに結合されて１つの構造体が構成される。そして、図２に示すように、その構造体の前面に、さらに、各種の光学シート５０が配置され、光学シート５０の前面に液晶表示パネル７０が配置されて、画像表示装置１が構成される。画像表示装置１では、光源基板２０のＬＥＤ２１から出射され、フラッタ４０および複数の光学シート５０を透過して均一性が向上した光が、液晶表示パネル７０を背面から照明する。そして、液晶表示パネル７０を背面から照明する光は、画像に応じて領域７１毎に明るさが調整（調光）されているので、液晶表示パネル７０にはコントラストが精度良く高められた画像が表示される。
【００７６】
［１−２．効果等］
以上のように構成された画像表示装置１では、次のような効果が得られる。
【００７７】
まず、画像表示装置１は、小型化、薄型化、および組み立てコストの軽減に適している。
【００７８】
画像表示装置１との比較のために、画像表示装置１と同様に、数百個を超える複数のＬＥＤを有し、それら複数のＬＥＤを互いに独立して制御可能なバックライトを有する画像表示装置を想定してみる。そして、その画像表示装置は、複数のＬＥＤが搭載された基板とドライバ素子が搭載された基板とが別体に設けられ、それらの基板が互いにケーブルで接続されることにより、複数のＬＥＤのそれぞれの輝度が独立に制御されるものとする。しかしながら、そのような構成を有する画像表示装置では、多数の基板や多数のケーブルが必要となるために、画像表示装置の小型化、薄型化は困難であり、また画像表示装置の組み立てコストが増加するおそれがある。
【００７９】
本実施の形態に示す画像表示装置１では、１つの光源基板２０に、複数のＬＥＤ２１と複数のドライバ素子２２およびドライバ素子２３とが搭載される。そのため、基板やケーブルを削減することができ、画像表示装置１の小型化、薄型化、および組み立てコストの軽減が可能になる。
【００８０】
画像表示装置１では、ＬＥＤ２１に、複数のＬＥＤ素子を直列に接続して構成された高電圧ＬＥＤを用いてもよい。高電圧ＬＥＤを用いることで、光源基板２０では、高電圧ＬＥＤでないＬＥＤ（低電圧ＬＥＤ）を用いた場合と比較して、ＬＥＤ２１の駆動電圧を上げることができる。これにより、光源基板２０では、駆動電流の増加を抑制しつつ、より高い発光輝度を得ることができるので、ドライバ素子での発熱を抑制することができる。
【００８１】
放熱に関する設計が困難である等の理由により、ＬＥＤとドライバ素子とを１つの基板に搭載することが困難な場合がある。しかし、画像表示装置１では、ＬＥＤ２１に高電圧ＬＥＤを用いることで、１つの光源基板２０に、複数のＬＥＤ２１と複数のドライバ素子２２およびドライバ素子２３とを搭載することができる。
【００８２】
また、画像表示装置１では、反射シート３０に、互いに隣り合うＬＥＤ２１の間を仕切る中空の隆起３１を形成し、隆起３１内にドライバ素子２２およびドライバ素子２３を格納している。
【００８３】
ドライバ素子等により反射シート３０に不要なしわや膨らみ等が生じると、領域７１内に輝度むらが発生する可能性がある。しかし、画像表示装置１では、隆起３１により反射シート３０の背面側に設けられた空間にドライバ素子２２およびドライバ素子２３が格納されるので、それらのドライバ素子と反射シート３０とが干渉して輝度むらが発生することを防止できる。このように、画像表示装置１では、隆起３１内の空間を有効に活用して、ドライバ素子２２およびドライバ素子２３を光源基板２０に搭載することができる。
【００８４】
また、画像表示装置１では、互いに隣り合う領域７１が隆起３１によって隔てられるので、互いに隣り合うＬＥＤ２１によって照明される領域７１間での相互の光漏れが低減される。これにより、各領域７１のＬＥＤ２１による明るさの精度をより高めることができるので、より正確な輝度で液晶表示パネル７０を照明できる。
【００８５】
また、画像表示装置１では、隆起３１は、互いに隣り合うＬＥＤ２１によって照明される領域７１の境界上に、その境界上の一部を除外して形成されている。そして、フラッタ４０を支持するサポートピン３６は、反射シート３０における隆起３１の形成が除外された部分を貫通して、ベースプレート１０に取り付けられている。そのため、領域７１内にサポートピン３６の影が出にくくなり、サポートピン３６が領域７１における輝度低下の原因になることが防止される。
【００８６】
また、互いに隣り合う領域７１の境界の中央部分は、ＬＥＤ２１に相対的に近いため、相対的に明るい。そして、画像表示装置１では、サポートピン３６が、その中央部分（略中央部分）に設けられているので、ＬＥＤ２１から相対的に遠く相対的に暗い当該境界の端部にサポートピン３６が設けられる場合と比べて、サポートピン３６による輝度低下が目立ちにくい。
【００８７】
以上説明したように、本実施の形態によれば、独立して調光可能な複数のＬＥＤを有する画像表示装置において、画像表示装置の小型化、薄型化、および組み立てコストの軽減が可能になる。
【００８８】
（実施の形態２）
次に、図９および図１０を参照しながら、実施の形態２について説明する。
【００８９】
実施の形態２に示す画像表示装置１（図示せず）は、実施の形態１に示した画像表示装置１と実質的に同じものであるが、実施の形態１に開示されていない構成をさらに有する。以下では、実施の形態１で説明した事項については適宜説明を省略し、実施の形態１で開示されていない構成を主に説明する。
【００９０】
［２−１．構成］
実施の形態２には、他の基板との電気的な接続をケーブルを介して行う構成を光源基板２０に設けた画像表示装置１を開示する。実施の形態２では、実施の形態１の画像表示装置１の構成に加えて、適切なコネクタを選択してケーブルを接続できる構成を光源基板２０が備えている。
【００９１】
なお、以下の説明では、実施の形態１に示した画像表示装置１が備える構成要素と実質的に同じ構成要素については、その構成要素と同じ符号を付与して説明を省略する。
【００９２】
光源基板２０の背面には、ケーブルを接続するための複数のコネクタが設けられている。当該コネクタは、複数の光源基板２０間でケーブルを介して信号や電力を分配するときに用いられる。この分配については後述する。
【００９３】
図９は、実施の形態２における画像表示装置１において光源基板２０に設けられるコネクタの配置の一例を模式的に示す平面図である。なお、図９には、光源基板２０の背面側の平面図を示している。
【００９４】
図９に示すように、光源基板２０は、信号入力コネクタ２６ａ、信号入力コネクタ２６ｂ、信号出力コネクタ２７ａ、信号出力コネクタ２７ｂ、電力入力コネクタ２８ａ、電力入力コネクタ２８ｂ、電力出力コネクタ２９ａ、および電力出力コネクタ２９ｂ、を有する。これらのコネクタは、光源基板２０の背面の互いに異なる位置にそれぞれ配置されている。
【００９５】
ここで、コネクタとは、ケーブルとの電気的な接続を可能にするための光源基板２０上の端子（いわゆるランドパターン）である。コネクタには、ケーブルが直接接続されてもよく、ケーブルを受け入れるためのソケットまたはレセプタクルが取り付けられ、当該ソケットまたはレセプタクルを介してケーブルが接続されてもよい。また、光源基板２０では、光源基板２０の配置位置に応じて、ケーブルが接続されるコネクタを適切に選択することができる。したがって、互いに異なる位置に配置された光源基板２０同士を比較したときに、各光源基板２０が有する互いに同じ位置のコネクタに、ケーブルが接続される場合とケーブルが接続されない場合とがある。
【００９６】
光源基板２０は、信号処理基板９２または他の光源基板２０から、信号入力コネクタ２６ａに入力される制御信号を、光源基板２０に搭載されたドライバ素子に分配するとともに、信号出力コネクタ２７ａおよび信号出力コネクタ２７ｂの両方に出力（以下、「スルー出力」ともいう）するように設けられた配線を有する（図示せず）。また、光源基板２０は、信号入力コネクタ２６ｂに入力される制御信号を、光源基板２０に搭載されたドライバ素子に分配するとともに、信号出力コネクタ２７ｂにスルー出力するように形成された配線を有する（図示せず）。
【００９７】
したがって、光源基板２０は、信号処理基板９２または他の光源基板２０から、信号入力コネクタ２６ａに制御信号が入力されると、その制御信号は、信号出力コネクタ２７ａおよび信号出力コネクタ２７ｂの両方からスルー出力される。また、光源基板２０は、信号入力コネクタ２６ｂに制御信号が入力されると、その制御信号は信号出力コネクタ２７ｂからスルー出力される。なお、その制御信号は、各ＬＥＤ２１を、それぞれのＬＥＤ２１に対応する領域７１での画像の明るさに基づく輝度で発光させるための、輝度に関する信号である。光源基板２０では、複数のＬＥＤ２１の各々が、ドライバ素子２２およびドライバ素子２３により、その制御信号に応じた輝度で発光するように駆動（調光）される。
【００９８】
また、光源基板２０は、電源基板９３または他の光源基板２０から、電力入力コネクタ２８ａまたは電力入力コネクタ２８ｂに入力される電力を、光源基板２０に搭載された各素子に分配するとともに、電力出力コネクタ２９ａおよび電力出力コネクタ２９ｂにスルー出力するように設けられた配線を有する（図示せず）。
【００９９】
したがって、光源基板２０は、電源基板９３または他の光源基板２０から、電力入力コネクタ２８ａおよび電力入力コネクタ２８ｂのいずれか一方に電力が入力されると、その電力は電力出力コネクタ２９ａおよび電力出力コネクタ２９ｂの両方からスルー出力される。各光源基板２０では、その電力を用いて複数のＬＥＤ２１のそれぞれが駆動される。
【０１００】
このように、実施の形態２に示す光源基板２０は、信号または電力を分配するための複数のコネクタを、互いに異なる位置に有している。言い換えると、光源基板２０は、光源基板２０内の同一の回路ノードに属する複数のコネクタを互いに異なる位置に有している。信号入力コネクタ２６ａ、信号入力コネクタ２６ｂ、信号出力コネクタ２７ａ、および信号出力コネクタ２７ｂは、制御信号系の回路ノードに属するコネクタの一例である。電力入力コネクタ２８ａ、電力入力コネクタ２８ｂ、電力出力コネクタ２９ａ、および電力出力コネクタ２９ｂは、電力系の回路ノードに属するコネクタの一例である。そのため、実施の形態２に示す画像表示装置１では、光源基板２０において、例えば、他の部材が配置されているために使用できないコネクタを避けて他の使用可能なコネクタを使用する等、部材の配置位置等に応じて適切にコネクタを選択して、使用することができる。したがって、この画像表示装置１では、例えば、ベースプレート１０に複数の光源基板２０を取り付けるときに、その取り付け位置によって使用可能なコネクタが異なっている場合でも、互いに同じ構成の複数の光源基板２０を用いることができる。これにより、実施の形態２に示す画像表示装置１では、互いに同じ構成の複数の光源基板２０を用いて（すなわち、基板の共通化による）コスト削減を図ることができる。
【０１０１】
実施の形態２に示すこのような構成は、例えば、複数の光源基板２０を互いに電気的に連結（カスケード接続）してバックライトを構成する場合に適している。
【０１０２】
図１０は、実施の形態２における画像表示装置１においてバックライトを構成する複数の光源基板２０の接続の一例を模式的に示す平面図である。
【０１０３】
図１０には、一例として１６個の光源基板２０を取り付けたベースプレート１０の背面側の平面図を示している。光源基板２０は、ベースプレート１０の前面に取り付けられているので、図１０では、光源基板２０の取り付け位置を破線で示している。なお、ベースプレート１０に取り付けられる光源基板２０の数は何ら１６個に限定されない。
【０１０４】
図１０に破線で示すように、画像表示装置１が有する複数の光源基板２０は、ベースプレート１０上に、マトリクス状（行列状）に配列されている。具体的には、各光源基板２０は、実施の形態１で説明したように、ベースプレート１０の前面に、行と列のそれぞれに配列されて行列状に配置されている。そして、複数の光源基板２０は、図１０に示すように、ケーブル１４またはケーブル１５によって互いに電気的に連結（カスケード接続）されている。
【０１０５】
図１０に示すように、ベースプレート１０には、背面の上端に補強梁１１が設けられ、背面の下端に補強梁１２が設けられている。ベースプレート１０には、光源基板２０の所定のコネクタを、他の基板（信号処理基板９２、または電源基板９３、または他の光源基板２０）にケーブルを介して電気的に接続できるようにするための複数の開口１３が設けられている。また、補強梁１１には、ベースプレート１０に設けられた複数の開口１３のうちの所定の１つと実質的に同じ位置に設けられ、１つの光源基板２０（例えば、光源基板２０ａ）の所定のコネクタ（例えば、信号入力コネクタ２６ａ）を他の基板（例えば、信号処理基板９２）にケーブルを介して電気的に接続できるようにするための開口１３ａが設けられている。そして、各光源基板２０の背面に設けられた各コネクタは、ベースプレート１０に設けられた開口１３を通して、または、開口１３および補強梁１１に設けられた開口１３ａを通して、ベースプレート１０の背面側に露出している。これにより、各光源基板２０は、互いのコネクタを、ベースプレート１０の背面側を通るケーブル１４またはケーブル１５によって電気的に接続することができる。
【０１０６】
そして、実施の形態２に示す画像表示装置１では、１６個の光源基板２０が、ケーブル１４およびケーブル１５で互いに電気的に接続されて、バックライトを構成している。なお、図１０では、説明を容易にするために、上段２列の７個の光源基板２０に、符号２０ａ〜２０ｇを付与している。
【０１０７】
具体的には、図１０に示すように、各光源基板２０の信号出力コネクタ２７ｂは、ケーブル１４により、図面における左隣の光源基板２０の信号入力コネクタ２６ｂに電気的に接続されている。ただし、図面における右端の４個の光源基板２０では、各光源基板２０の信号出力コネクタ２７ａは、ケーブル１４により、図面における直下の光源基板２０の信号入力コネクタ２６ａに電気的に接続されている。また、図面における右上端の光源基板２０ａの信号入力コネクタ２６ａは、ケーブルにより信号処理基板９２に電気的に接続されている。
【０１０８】
これにより、信号処理基板９２から供給される制御信号は、光源基板２０ａの信号入力コネクタ２６ａに入力される。この制御信号は、光源基板２０ａの信号出力コネクタ２７ａおよび信号出力コネクタ２７ｂにスルー出力され、ケーブル１４を介して、光源基板２０ｃの信号入力コネクタ２６ａおよび光源基板２０ｂの信号入力コネクタ２６ｂのそれぞれに入力される。そして、上述した構成に基づき、制御信号は、ケーブル１４を通して１つの光源基板２０から他の光源基板２０に分配される。同様の分配が繰り返されることで、信号処理基板９２から供給される制御信号は、画像表示装置１が有するすべての光源基板２０に分配される。なお、図１０では、制御信号が分配される経路を一点鎖線で示す。
【０１０９】
本実施の形態における画像表示装置１では、複数の光源基板２０のうち第１の光源基板の信号出力コネクタと第２の光源基板の信号入力コネクタとが電気的に接続されている。上述したように、各光源基板２０の信号出力コネクタは、図面における左隣または直下の光源基板２０の信号入力コネクタに、ケーブル１４により電気的に接続されて、複数の光源基板２０が連結（カスケード接続）されている。したがって、１つの光源基板２０は、一部の光源基板２０（例えば、信号処理基板９２から制御信号が入力される光源基板２０ａ、および、制御信号に関して終端となる図面左端の４個の光源基板２０）を除き、第１の光源基板であるとともに第２の光源基板でもある。すなわち、第１の光源基板および第２の光源基板の定義は、一部の光源基板２０を除き、相対的なものであり、絶対的なものではない。例えば、図１０に示す例では、光源基板２０ａを第１の光源基板とすると、第２の光源基板は光源基板２０ｂおよび光源基板２０ｃとなる。光源基板２０ｂを第１の光源基板とすると、第２の光源基板は光源基板２０ｆとなる。あるいは、光源基板２０ｃを第１の光源基板とすると、第２の光源基板は光源基板２０ｃの左隣および直下（図面における左隣および直下）の光源基板２０となる。このように、第１の光源基板が第２の光源基板に制御信号を分配し、その第２の光源基板が後段の光源基板に対して第１の光源基板となって制御信号を分配する、といったことが繰り返されることで、制御信号がすべての光源基板２０に分配される。
【０１１０】
電源基板９３から供給される電力は、図１０で左端に配置された４個の光源基板２０に入力される。ただし、図１０で最上段に配置された４個の光源基板２０（光源基板２０ａ、２０ｂ、２０ｄ、２０ｆ）に関しては、補強梁１１により電力入力コネクタ２８ｂおよび電力出力コネクタ２９ｂが使用できない。そこで、電源基板９３から供給される電力は、左端に配置された４個のうちの最上段に配置された光源基板２０ｄに関しては、補強梁１１により使用できない電力入力コネクタ２８ｂを避けて電力入力コネクタ２８ａに入力され、光源基板２０ｅを含む他の３個の光源基板２０に関しては、電力入力コネクタ２８ｂに入力される。この電力は、光源基板２０ｄでは、補強梁１１により使用できない電力出力コネクタ２９ｂを避けて電力出力コネクタ２９ａにスルー出力され、ケーブル１５を介して、図面における右隣に配置された光源基板２０ｆの電力入力コネクタ２８ａに入力される。光源基板２０ｅを含む他の３個の光源基板２０では、電力は、電力出力コネクタ２９ｂにスルー出力され、ケーブル１５を介して、図面におけるそれぞれの右隣に配置された光源基板２０の電力入力コネクタ２８ｂに入力される。このようにして、電力は、１つの光源基板２０から他の光源基板２０に分配される。同様の分配が繰り返されることで、電源基板９３から供給される電力は、画像表示装置１が有するすべての光源基板２０に分配される。なお、図１０では、電力が分配される経路を二点鎖線で示す。
【０１１１】
画像表示装置１が有する光源基板２０は、このようにして分配された制御信号および電力によって動作し、複数のＬＥＤ２１の各々は、分配された制御信号に応じた輝度で発光するように駆動（調光）される。
【０１１２】
［２−２．効果等］
以上のように、本実施の形態において、画像表示装置は、液晶表示パネルと、液晶表示パネルを背面から照明するための複数の光源基板と、を備える。複数の光源基板の各々は、制御信号を受信する信号入力コネクタと、各々が液晶表示パネルの互いに異なる領域に対応して設けられた複数のＬＥＤと、複数のＬＥＤの各々を、制御信号に従って画像の対応領域内の明るさに応じた輝度で発光するように駆動するドライバ素子と、制御信号をスルー出力する信号出力コネクタと、を有する。そして、複数の光源基板のうち第１の光源基板の信号出力コネクタと第２の光源基板の信号入力コネクタとが電気的に接続されている。
【０１１３】
なお、画像表示装置１は画像表示装置の一例である。液晶表示パネル７０は液晶表示パネルの一例である。光源基板２０および光源基板２０ａ〜２０ｇは光源基板の一例である。信号入力コネクタ２６ａおよび信号入力コネクタ２６ｂは、それぞれが信号入力コネクタの一例である。ＬＥＤ２１はＬＥＤの一例である。ドライバ素子２２およびドライバ素子２３はドライバ素子の一例である。信号出力コネクタ２７ａおよび信号出力コネクタ２７ｂは、それぞれが信号出力コネクタの一例である。光源基板２０は、第１の光源基板の一例であり、第２の光源基板の一例でもある。
【０１１４】
複数の光源基板の各々は、当該光源基板内の同一の回路ノードに属する複数のコネクタを互いに異なる位置に有していてもよい。
【０１１５】
なお、信号入力コネクタ２６ａ、信号入力コネクタ２６ｂ、信号出力コネクタ２７ａおよび信号出力コネクタ２７ｂは、同一の回路ノードに属する複数のコネクタの一例である。また、電力入力コネクタ２８ａ、電力入力コネクタ２８ｂ、電力出力コネクタ２９ａおよび電力出力コネクタ２９ｂは、同一の回路ノードに属する複数のコネクタの一例である。
【０１１６】
以上のように構成された画像表示装置１では、複数の光源基板２０を互いに電気的に連結（カスケード接続）することにより、接続に必要なケーブルを削減することができる。
【０１１７】
また、光源基板２０では、信号または電力を分配する複数のコネクタを互いに異なる位置に設けることで、例えば、他の部材（例えば、補強梁１１等）が配置されているために使用できないコネクタを避けて他の使用可能なコネクタを使用する等、部材の配置位置等に応じて適切にコネクタを選択して使用することが可能である。
【０１１８】
以上説明したように、本実施の形態によれば、独立して調光可能な複数のＬＥＤを有する画像表示装置において、画像表示装置の小型化、薄型化、および組み立てコストの軽減が可能になる。
【０１１９】
（実施の形態３）
次に、図１１および図１２を参照しながら、実施の形態３について説明する。
【０１２０】
実施の形態３に示す画像表示装置１（図示せず）は、実施の形態１または実施の形態２に示した画像表示装置１と実質的に同じものである。実施の形態３では、実施の形態２で説明した光源基板２０間のケーブル接続による制御信号の分配および動作電力の分配について、より具体的に説明する。以下では、実施の形態１または実施の形態２で説明した事項については適宜説明を省略し、実施の形態１および実施の形態２で開示されていない構成を主に説明する。
【０１２１】
［３−１．構成］
図１１は、実施の形態３の画像表示装置１における制御信号および動作電力の伝達経路の一例を模式的に示す図である。図１１では、制御信号および動作電力のそれぞれの伝達経路を、ベースプレート１０の前面側における光源基板２０の配置状態で（すなわち、図１０の左右を反転した状態で）示している。また、図１１では、制御信号の分配のためのコネクタおよびケーブルを薄いグレーで表し、動作電力の分配のためのコネクタおよびケーブルを濃いグレーで表している。なお、図１１では、信号処理基板９２および電源基板９３を光源基板２０と並べて示しているが、信号処理基板９２および電源基板９３は、ベースプレート１０の背面側の、図１１において光源基板２０と重複する位置に配置されてもよい。
【０１２２】
なお、以下の説明では、実施の形態１または実施の形態２に示した画像表示装置１が備える構成要素と実質的に同じ構成要素については、その構成要素と同じ符号を付与して説明を省略する。
【０１２３】
まず、制御信号の分配について説明する。
【０１２４】
実施の形態３における画像表示装置１において、各光源基板２０は、複数の信号系統のうちのいずれか１つの信号系統に属している。本実施の形態では、行または列に配置された光源基板２０が１つの信号系統に属するものとする。また、信号処理基板９２には、実施の形態１で説明したように、光源基板２０のＬＥＤ２１の輝度を制御（調光）するための制御信号を映像信号に基づいて生成する回路が設けられているが、本実施の形態では、この回路は、信号系統毎に制御信号を生成するように構成されているものとする。すなわち、本実施の形態における画像表示装置１は、信号系統毎に制御信号を生成する信号処理基板９２を備える。
【０１２５】
図１１に示す例では、ベースプレート１０上の１６個の光源基板２０は、実施の形態１および実施の形態２でも説明したように、ベースプレート１０の前面に行列状（例えば、４行４列）に配置されている。そして、図面の横方向に並ぶ４つの光源基板２０（すなわち、１つの行に配列された４つの光源基板２０）が１つの信号系統に属する。図１１に示す例では、複数の光源基板２０は、４行に分かれて配置されているので、複数の光源基板２０の各々は、４つの信号系統のいずれかに属する。なお、図１１では、図面における上の行から順に系統１、系統２、系統３、系統４とする。すなわち、図１１に示す例では、系統１、系統２、系統３、および系統４が図面の縦方向に並んで配置されている。なお、本実施の形態は何ら図１１に示す構成に限定されない。
【０１２６】
同一の信号系統に属する複数の光源基板２０は、互いに隣接する（図１１に示す例では、行方向に隣接する）光源基板２０の信号出力コネクタ２７ｂと信号入力コネクタ２６ｂとの間に設けられたケーブル接続によって、直列に接続される。そして、信号処理基板９２で生成された各信号系統の制御信号は、信号系統毎に、その信号系統に属する光源基板２０間で直列に伝達される。
【０１２７】
本実施の形態では、信号処理基板９２で生成された制御信号は、信号系列毎に受信される。そして、当該制御信号を当該信号系統に属する他の光源基板２０へ送信する最初の光源基板２０を、代表光源基板とする。すなわち、信号系統毎に、同一の信号系統に属する複数の光源基板２０のうちの１つの光源基板２０を代表光源基板とする。したがって、本実施の形態の画像表示装置１には、信号系統と同数の複数の代表光源基板が設けられる。各信号系統の代表光源基板は、行または列の端部に配置される。図１１に示す例では、各信号系統の左端（すなわち、各行の端部）に位置する４つの光源基板２０が代表光源基板である。したがって、図１１に示す例では、４つの代表光源基板は列方向に配列される。
【０１２８】
複数の代表光源基板は、互いに隣接する（図１１に示す例では、列方向に隣接する）代表光源基板の信号出力コネクタ２７ａと信号入力コネクタ２６ａとの間に設けられたケーブル接続によって、直列に接続される。そして、信号処理基板９２で生成された複数の信号系統の制御信号は、代表光源基板間で直列に伝達される。なお、本実施の形態では、その伝達（すなわち、代表光源基板間での制御信号の伝達）に使用されるコネクタを、カスケード入力コネクタまたはカスケード出力コネクタと呼ぶ。信号入力コネクタ２６ａはカスケード入力コネクタの一例であり、信号出力コネクタ２７ａはカスケード出力コネクタの一例である。なお、信号入力コネクタ２６ａは信号入力コネクタの一例でもある。すなわち、各代表光源基板では、信号入力コネクタ２６ａはカスケード入力コネクタとして使用されるとともに、信号入力コネクタとしても使用される。これは、信号入力コネクタ２６ａが、入力された制御信号を、信号出力コネクタ２７ａと信号出力コネクタ２７ｂとの両方にスルー出力できるためである。そして、各代表光源基板は、信号入力コネクタ２６ａで受信された当該代表光源基板が属する信号系統の制御信号を、信号出力コネクタ２７ｂへスルー出力する。
【０１２９】
代表光源基板には、制御信号を増幅するバッファ２２１が搭載されている。また、信号系統の終端の光源基板２０（図面における右端の光源基板２０）には制御信号の波形歪を抑制するターミネータ２２２が搭載されている。ドライバ素子２３は、バッファ２２１とターミネータ２２２との間に形成される信号線路から、制御信号を受信する。バッファ２２１は、例えば、リピータＩＣチップで構成され、ターミネータ２２２は、例えば、チップ抵抗で構成される。
【０１３０】
図１２は、実施の形態３における画像表示装置１において基板間の接続によって形成される信号伝達回路の一例を概略的に示す回路図である。
【０１３１】
信号処理基板９２には、コントローラ２２０が搭載されている。コントローラ２２０は、各ＬＥＤ２１を発光させるための輝度に関する制御信号を生成する。制御信号は、例えば、ＬＥＤ２１によって照明される領域毎の画像の明るさを表してもよく、また、ＬＥＤ２１の発光輝度そのものを表してもよい。コントローラ２２０は、専用のハードウェア回路を有するＩＣチップであってもよく、ソフトウェア機能により制御信号を生成するワンチップのマイクロコントローラであってもよい。
【０１３２】
なお、以下の説明では、ある信号系統に属する光源基板２０が備えるＬＥＤ２１を、その信号系統に属するＬＥＤ２１ともいう。
【０１３３】
コントローラ２２０で生成される制御信号は、信号系統毎に当該信号系統に属するＬＥＤ２１の発光輝度を表すデータ信号Ｄ０、データ信号Ｄ１、データ信号Ｄ２、およびデータ信号Ｄ３と、クロック信号ＣＬＫと、を含んでいる。データ信号Ｄ０は、系統１に属するＬＥＤ２１の発光輝度を表す制御信号である。データ信号Ｄ１は、系統２に属するＬＥＤ２１の発光輝度を表す制御信号である。データ信号Ｄ２は、系統３に属するＬＥＤ２１の発光輝度を表す制御信号である。データ信号Ｄ３は、系統４に属するＬＥＤ２１の発光輝度を表す制御信号である。クロック信号ＣＬＫは、データ信号Ｄ０〜Ｄ３のタイミングを規定するクロック信号である。なお、データ信号Ｄ０〜Ｄ３は、信号系統内のＬＥＤ２１の発光輝度または画像の対応領域の明るさを、クロック信号ＣＬＫに同期してシリアルに表す信号であってもよい。
【０１３４】
ドライバ素子２３は、コントローラ２２０と協働するサブコントローラとして機能し、コントローラ２２０からの制御信号に応じて、当該ドライバ素子２３に対応するドライバ素子２２（ＭＯＳトランジスタ）のゲート信号を生成する。ドライバ素子２２は、当該ゲート信号に応じた電流をＬＥＤ２１に供給し、ＬＥＤ２１を制御信号に応じた輝度で発光するように駆動する。
【０１３５】
直列に接続された複数の光源基板間で制御信号を伝達する構成では、一般に、伝達される制御信号の波形歪を抑えるために、負荷（具体的には、１つの制御信号が分配されるドライバ素子２３の個数）が制限される。そのため、その構成では、輝度を互いに独立して制御できる発光ダイオードの個数（チャンネル数）が制限される。
【０１３６】
例えば、直列に接続された複数の光源基板間で、１つの制御信号を分配可能なドライバ素子の数の上限をＭとし、１つのドライバ素子のチャンネル数をＮとすれば、１つの制御信号あたりのチャンネル数はＭ×Ｎに制限される。
【０１３７】
これに対し、図１２に示す構成によれば、複数の信号系統を設け、信号系統毎に制御信号を複数の光源基板２０間で直列に伝達するので、チャンネル数を増大させながら、装置の小型化、薄型化、および組み立てコストの軽減を実現することができる。
【０１３８】
また、図１２に示す構成では、信号処理基板９２が複数の信号系統の制御信号を１つの代表光源基板へ供給するだけで、当該複数の信号系統の制御信号は代表光源基板間で直列に伝達され、さらに、各信号系統の制御信号は当該信号系統の光源基板２０間で直列に伝達される。これにより、信号処理基板９２の配置に関する制約（例えば、信号処理基板９２を、どの信号系統からも略対等になる位置に配置する、といった制約）が軽減され、基板の配置に関する自由度が向上する。また、制御信号を伝達するために必要なケーブルを相対的に短くできるので、装置の小型化、薄型化、および組み立てコストの軽減をより向上することができる。
【０１３９】
また、本実施の形態では、複数の光源基板２０が行列状に配列され、行の端部に代表光源基板が配置されるので、制御信号を伝達するために必要なケーブルの長さが最適化（すなわち、ケーブルの長さが光源基板２０間で最短化）される。なお、この効果は、列毎に信号系統を設定し、列の端部に代表光源基板が配置される構成であっても、同様に得られる。
【０１４０】
次に、動作電力の分配について、図１１を参照しながら説明する。
【０１４１】
本実施の形態において、複数の光源基板２０の各々は、複数のコネクタとして、当該光源基板２０内の同一の電源ノードに属する第１電力入力コネクタ、第２電力入力コネクタ、第１電力出力コネクタ、および第２電力出力コネクタを有する。電力入力コネクタ２８ａは第１電力入力コネクタの一例であり、電力入力コネクタ２８ｂは第２電力入力コネクタの一例であり、電力出力コネクタ２９ａは第１電力出力コネクタの一例であり、電力出力コネクタ２９ｂは第２電力出力コネクタの一例である。すなわち、各光源基板２０において、電力入力コネクタ２８ａ、電力入力コネクタ２８ｂ、電力出力コネクタ２９ａ、および電力出力コネクタ２９ｂは、光源基板２０内の同一の電源ノードに属し、光源基板２０内の配線導体で互いに電気的に接続されている。電力入力コネクタ２８ａと電力出力コネクタ２９ａとの間の配線導体および電力入力コネクタ２８ｂと電力出力コネクタ２９ｂとの間の配線導体は、等価的に互いに電気的に並列に接続され、他の光源基板２０への給電経路を構成している。各光源基板２０は、図示していないグランド（接地電位または基準電位）ノードと当該電源ノードとの間の電圧を電源電圧として用いて動作する。
【０１４２】
これにより、光源基板２０は、電力入力コネクタ２８ａおよび電力入力コネクタ２８ｂのいずれに動作電力が供給されても動作し、また、供給された動作電力を、電力出力コネクタ２９ａおよび電力出力コネクタ２９ｂの両方に出力する。
【０１４３】
複数の光源基板２０の各々は、前述の信号系統とは別に設けられた、複数の給電系統のうちのいずれか１つの給電系統に属している。そして、第１の給電系統に属する複数の光源基板２０は、互いに隣接する光源基板２０の第１電力出力コネクタと第１電力入力コネクタとの間に設けられたケーブル接続によって直列に接続され、電源基板９３から供給される動作電力を当該光源基板２０間で直列に伝達する。第２の給電系統に属する複数の光源基板２０は、互いに隣接する光源基板２０の第２電力出力コネクタと第２電力入力コネクタとの間に設けられたケーブル接続によって直列に接続され、電源基板９３から供給される動作電力を当該光源基板２０間で直列に伝達する。なお、図１１には、給電系統が前述の信号系統と一致している例を示している。すなわち、図１１に示す例では、１つの行に配列された４つの光源基板２０が１つの給電系統に属する。なお、図１１に示す構成は単なる一例に過ぎず、給電系統と信号系統とは互いに異なっていてもよい。
【０１４４】
図１１には、系統１は第１の給電系統であり、系統２、系統３および系統４は第２の給電系統である例を示す。したがって、第１の給電系統（系統１）に属する複数の光源基板２０は、互いに隣接する光源基板２０の電力出力コネクタ２９ａと電力入力コネクタ２８ａとの間に設けられたケーブル接続によって直列に接続され、電源基板９３から供給された動作電力を光源基板２０間で直列に伝達する。
【０１４５】
また、第２の給電系統（系統２、系統３、系統４）に属する複数の光源基板２０は、互いに隣接する光源基板２０の電力出力コネクタ２９ｂと電力入力コネクタ２８ｂとの間に設けられたケーブル接続によって直列に接続され、電源基板９３から供給された動作電力を光源基板２０間で直列に伝達する。
【０１４６】
［３−２．効果等］
以上のように、本実施の形態の画像表示装置において、複数の光源基板の各々は複数の信号系統のうちのいずれか１つの信号系統に属してもよい。画像表示装置は、信号系統毎に制御信号を生成する信号処理基板をさらに備えてもよい。同一の信号系統に属する複数の光源基板は、互いに隣接する光源基板の信号出力コネクタと信号入力コネクタとの間に設けられたケーブル接続によって直列に接続されてもよい。信号処理基板で生成された当該信号系統の制御信号は当該信号系統に属する光源基板間で直列に伝達されてもよい。
【０１４７】
なお、系統１、系統２、系統３、系統４は、複数の信号系統の一例である。信号処理基板９２は信号処理基板の一例である。
【０１４８】
画像表示装置において、複数の光源基板の各々は、制御信号を受信するカスケード入力コネクタと、制御信号をスルー出力するカスケード出力コネクタとを、さらに有してもよい。信号系統毎に１つの光源基板を代表光源基板として複数の代表光源基板を設けてもよい。複数の代表光源基板は、互いに隣接する代表光源基板のカスケード出力コネクタとカスケード入力コネクタとの間に設けられたケーブル接続によって直列に接続されてもよく、信号処理基板で生成された複数の信号系統の制御信号を当該代表光源基板間で直列に伝達してもよい。複数の代表光源基板の各々は、当該代表光源基板が属する信号系統の制御信号を信号出力コネクタへ出力してもよい。
【０１４９】
なお、信号入力コネクタ２６ａはカスケード入力コネクタの一例である。信号出力コネクタ２７ａはカスケード出力コネクタの一例である。図１１の左端に配置された４つの光源基板２０は、代表光源基板の一例である。データ信号Ｄ０、データ信号Ｄ１、データ信号Ｄ２、およびデータ信号Ｄ３は、複数の信号系統の制御信号の一例である。信号出力コネクタ２７ｂは、代表光源基板が属する信号系統の制御信号を出力する信号出力コネクタの一例である。
【０１５０】
画像表示装置において、複数の光源基板は、行列状に配置され、行または列に配置された光源基板が１つの信号系統に属してもよい。また、複数の信号系統の各々の代表光源基板は、行または列の端部に配置されていてもよい。
【０１５１】
なお、図１１に示す光源基板２０の配置、信号系統の設定および代表光源基板は、そのような構成の一例である。
【０１５２】
画像表示装置において、複数の光源基板の各々は、複数のコネクタとして、当該光源基板内の同一の電源ノードに属する第１電力入力コネクタ、第２電力入力コネクタ、第１電力出力コネクタ、および第２電力出力コネクタを有してもよい。複数の光源基板の各々は、複数の給電系統のうちのいずれか１つの給電系統に属してもよい。画像表示装置は、複数の光源基板に動作電力を供給する電源基板をさらに備えてもよい。第１の給電系統に属する複数の光源基板は、互いに隣接する当該光源基板の第１電力出力コネクタと第１電力入力コネクタとの間に設けられたケーブル接続によって直列に接続されてもよく、電源基板から供給された動作電力を当該光源基板間で直列に伝達してもよい。第２の給電系統に属する複数の光源基板は、互いに隣接する当該光源基板の第２電力出力コネクタと第２電力入力コネクタとの間に設けられたケーブル接続によって直列に接続されてもよく、電源基板から供給された動作電力を当該光源基板間で直列に伝達してもよい。
【０１５３】
なお、電力入力コネクタ２８ａは第１電力入力コネクタの一例である。電力入力コネクタ２８ｂは第２電力入力コネクタの一例である。電力出力コネクタ２９ａは第１電力出力コネクタの一例である。電力出力コネクタ２９ｂは第２電力出力コネクタの一例である。第１の給電系統および第２の給電系統は、複数の給電系統の一例である。電源基板９３は電源基板の一例である。系統１の各光源基板２０は、第１の給電系統に属する複数の光源基板の一例である。系統２〜系統４の各光源基板２０は、第２の給電系統に属する複数の光源基板の一例である。
【０１５４】
以上のように構成された画像表示装置１では、給電系統毎に複数の光源基板２０間で動作電力が直列に伝達されるので、接続に必要なケーブルを削減し、装置の小型化、薄型化、および組み立てコストの軽減を実現することができる。また、光源基板２０を直列に接続する際に、給電系統毎に、他の部材との干渉が生じないように適切なコネクタを選択して使用することができる。これにより、ベースプレート１０に複数の光源基板２０を取り付けるときに、その取り付け位置によって使用可能なコネクタが異なる場合でも、複数の給電系統で互いに同じ構成の複数の光源基板２０を用いることができるので、基板の共通化によるコスト削減を図ることができる。
【０１５５】
（他の実施の形態）
以上のように、本出願において開示する技術の例示として、実施の形態１〜３を説明した。そのために、添付図面および詳細な説明を提供した。
【０１５６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５７】
また、上述の実施の形態は、本開示における技術を例示するためのものであるから、特許請求の範囲またはその均等の範囲において種々の変更、置き換え、付加、省略などを行うことができる。また、上記実施の形態１〜３で説明した各構成要素を組み合わせて、新たな実施の形態とすることも可能である。
【０１５８】
なお、上述の説明における各部材の配置位置や形状等において、目的とする効果を得られる範囲での誤差やばらつきは許容される。
【産業上の利用可能性】
【０１５９】
本開示は、画像表示装置に適用可能である。具体的には、テレビジョン受像機、映像録画再生装置、またはコンピュータディスプレイ装置等に、本開示は適用可能である。
【符号の説明】
【０１６０】
１    画像表示装置
１ａ    筐体
１０    ベースプレート
１１，１２    補強梁
１３，１３ａ    開口
１４，１５    ケーブル
２０，２０ａ，２０ｂ，２０ｃ，２０ｄ，２０ｅ，２０ｆ，２０ｇ    光源基板
２１    ＬＥＤ
２２，２３    ドライバ素子
２４    開口
２５    ビス孔
２６ａ，２６ｂ    信号入力コネクタ
２７ａ，２７ｂ    信号出力コネクタ
２８ａ，２８ｂ    電力入力コネクタ
２９ａ，２９ｂ    電力出力コネクタ
３０    反射シート
３１    隆起
３２，３３    開口
３５    接着テープ
３６    サポートピン
４０    フラッタ
４１，４１Ａ    孔
５０    光学シート
６０    モールドフレーム
７０    液晶表示パネル
７１    領域
８０    ベゼル
９１    接続端子基板
９２    信号処理基板
９３    電源基板
２２０    コントローラ
２２１    バッファ
２２２    ターミネータ
【手続補正２】
【補正対象書類名】特許請求の範囲
【補正対象項目名】全文
【補正方法】変更
【補正の内容】
【特許請求の範囲】
【請求項１】
液晶表示パネルと、
前記液晶表示パネルを背面から照明するための複数の光源基板と、を備え、
前記複数の光源基板の各々は、
制御信号を受信する信号入力コネクタと、
各々が前記液晶表示パネルの互いに異なる領域に対応して設けられた複数の発光ダイオードと、
前記複数の発光ダイオードの各々を、前記制御信号に従って画像の対応領域内の明るさに応じた輝度で発光するように駆動するドライバ素子と、
前記制御信号をスルー出力する信号出力コネクタと、を有し、
前記複数の光源基板のうち第１の光源基板の前記信号出力コネクタと第２の光源基板の前記信号入力コネクタとが電気的に接続されている、
画像表示装置。
【請求項２】
前記複数の光源基板の各々は複数の信号系統のうちのいずれか１つの信号系統に属し、
前記画像表示装置は、前記信号系統毎に前記制御信号を生成する信号処理基板をさらに備え、
同一の前記信号系統に属する複数の光源基板は、互いに隣接する前記光源基板の前記信号出力コネクタと前記信号入力コネクタとの間に設けられたケーブル接続によって直列に接続され、前記信号処理基板で生成された当該信号系統の前記制御信号を当該光源基板間で直列に伝達する、
請求項１に記載の画像表示装置。
【請求項３】
前記複数の光源基板の各々は、前記制御信号を受信するカスケード入力コネクタと、前記制御信号をスルー出力するカスケード出力コネクタとを、さらに有し、
前記信号系統毎に１つの光源基板を代表光源基板として複数の代表光源基板を設け、
前記複数の代表光源基板は、互いに隣接する前記代表光源基板の前記カスケード出力コネクタと前記カスケード入力コネクタとの間に設けられたケーブル接続によって直列に接続され、前記信号処理基板で生成された前記複数の信号系統の前記制御信号を当該代表光源基板間で直列に伝達し、
前記複数の代表光源基板の各々は、当該代表光源基板が属する信号系統の前記制御信号を前記信号出力コネクタへ出力する、
請求項２に記載の画像表示装置。
【請求項４】
前記複数の光源基板は、行列状に配置されており、
行または列に配置された前記光源基板が１つの前記信号系統に属し、
前記複数の信号系統の各々の前記代表光源基板は、前記行または前記列の端部に配置されている、
請求項２に記載の画像表示装置。
【請求項５】
前記複数の光源基板の各々は、当該光源基板内の同一の回路ノードに属する複数のコネクタを互いに異なる位置に有している、
請求項１に記載の画像表示装置。
【請求項６】
前記複数の光源基板の各々は、前記複数のコネクタとして、当該光源基板内の同一の電源ノードに属する第１電力入力コネクタ、第２電力入力コネクタ、第１電力出力コネクタ、および第２電力出力コネクタを有し、
前記複数の光源基板の各々は、複数の給電系統のうちのいずれか１つの給電系統に属し、
前記画像表示装置は、前記複数の光源基板に動作電力を供給する電源基板をさらに備え、
第１の給電系統に属する複数の光源基板は、互いに隣接する前記光源基板の前記第１電力出力コネクタと前記第１電力入力コネクタとの間に設けられたケーブル接続によって直列に接続され、前記電源基板から供給された前記動作電力を当該光源基板間で直列に伝達し、
第２の給電系統に属する複数の光源基板は、互いに隣接する前記光源基板の前記第２電力出力コネクタと前記第２電力入力コネクタとの間に設けられたケーブル接続によって直列に接続され、前記電源基板から供給された前記動作電力を当該光源基板間で直列に伝達する、
請求項５に記載の画像表示装置。
【請求項７】
前記複数の光源基板の各々において、前記発光ダイオードと前記ドライバ素子とが当該光源基板の同一面に搭載されている、
請求項１に記載の画像表示装置。
【手続補正３】
【補正対象書類名】図面
【補正対象項目名】全図
【補正方法】変更
【補正の内容】
【図１】
2017038083.tif 000015
【図２】
2017038083.tif 000016
【図３】
2017038083.tif 000017
【図４】
2017038083.tif 000018
【図５】
2017038083.tif 000019
【図６】
2017038083.tif 000020
【図７】
2017038083.tif 000021
【図８】
2017038083.tif 000022
【図９】
2017038083.tif 000023
【図１０】
2017038083.tif 000024
【図１１】
2017038083.tif 000025
【図１２】
2017038083.tif 000026
【国際調査報告】
2017038083.tif 000027
2017038083.tif 000028
2017038083.tif 000029
2017038083.tif 000030